(57)【要約】  ワイヤレス通信のための方法、システム、およびデバイスが説明される。ユーザ機器（ＵＥ）は、コンポーネントキャリア（ＣＣ）のセットを監視しながらターゲット周波数帯域を測定するために、受信機のセットの能力に基づく帯域固有測定ギャップインジケーションをシグナリングし得る。ＵＥは、帯域固有測定ギャップインジケーションを考慮した、ターゲット周波数帯域を測定することに関連付けられた第１のコンポーネントキャリア（ＣＣ）のための測定ギャップ構成を受信し得る。ＵＥは、次いで、ダウンリンクメッセージのための他の構成されたＣＣを監視し続けながら、測定ギャップ構成に従ってターゲット周波数帯域のうちの１つまたは複数上で測定を実行し、（たとえば、異なる受信機を使用して）第１のＣＣのために構成されたギャップ中にアップリンク制御メッセージを送信し得る。いくつかの例では、測定ギャップ構成メッセージは構成オプションを含み、ＵＥは、利用可能なオプションのセットから第１のＣＣのための測定ギャップ構成を選択し得る。【選択図】図４
2018521543.tif 000002
【特許請求の範囲】
【請求項１】
キャリアアグリゲーション（ＣＡ）構成の複数のコンポーネントキャリア（ＣＣ）を監視しながら１つまたは複数のターゲット周波数帯域を測定するために、複数の受信機の能力に少なくとも部分的に基づく帯域固有測定ギャップインジケーションをシグナリングすることと、
前記１つまたは複数のターゲット周波数帯域のうちの少なくとも１つに関連付けられた前記複数のＣＣのうちの少なくとも１つの第１のＣＣのための測定ギャップ構成を備える測定ギャップ構成メッセージを受信することと、ここにおいて、前記測定ギャップ構成は前記帯域固有測定ギャップインジケーションに少なくとも部分的に基づく、
を備える、ワイヤレス通信の方法。
【請求項２】
前記測定ギャップ構成メッセージは、前記少なくとも１つの第１のＣＣのための前記測定ギャップ構成の少なくとも１つのギャップ中に、前記複数のＣＣのうちの少なくとも１つの第２のＣＣを監視するようにとのインジケーションを備える、請求項１に記載の方法。
【請求項３】
前記帯域固有測定ギャップインジケーションは、前記１つまたは複数のターゲット周波数帯域の各々を測定することに関連付けられる前記複数のＣＣのサブセットのインジケーションを備える、請求項１に記載の方法。
【請求項４】
前記帯域固有測定ギャップインジケーションは、前記複数のＣＣの各々を、前記１つまたは複数のターゲット周波数帯域上の測定ギャップに関連付けるビットマップを備える、請求項３に記載の方法。
【請求項５】
前記ＣＡ構成とともに使用するために利用可能な１つまたは複数の測定ギャップパターンをシグナリングすること、
をさらに備える、請求項１に記載の方法。
【請求項６】
前記測定ギャップ構成メッセージは、前記少なくとも１つの第１のＣＣを監視することが、他のＣＣ上の送信を監視しながら前記１つまたは複数のターゲット周波数帯域のうちの少なくとも１つを測定するために中断され得る、１つまたは複数のギャップのインジケーションを備える、請求項１に記載の方法。
【請求項７】
前記測定ギャップ構成メッセージは、前記複数のＣＣのうちの異なるＣＣのための異なる測定ギャップ構成のインジケーションを備える、請求項１に記載の方法。
【請求項８】
前記帯域固有測定ギャップインジケーションは、前記１つまたは複数のターゲット周波数帯域の組合せを測定するために、前記複数の受信機の各々の前記能力に少なくとも部分的に基づく別個のインジケーションを備える、請求項１に記載の方法。
【請求項９】
前記測定ギャップ構成メッセージは、測定ギャップ中に前記少なくとも１つの第１のＣＣ上で測定を実行しないようにとのインジケーションを備える、請求項１に記載の方法。
【請求項１０】
前記少なくとも１つの第１のＣＣのための前記少なくとも１つのギャップ中に前記少なくとも１つの第２のＣＣに関連付けられたアップリンク制御メッセージを送信すること、
をさらに備える、請求項２に記載の方法。
【請求項１１】
前記帯域固有測定ギャップインジケーションは、複数のＣＡ受信機構成に対応する複数のサポートされる周波数帯域測定ギャップ関連付けを備える、請求項１に記載の方法。
【請求項１２】
前記測定ギャップ構成に従って前記１つまたは複数のターゲット周波数帯域のうちの少なくとも１つ上で測定を実行すること、ここにおいて、前記ＵＥは、前記測定を実行しながら、前記複数のＣＣのうちの少なくとも１つを監視し続ける、
をさらに備える、請求項１に記載の方法。
【請求項１３】
前記１つまたは複数のターゲット周波数帯域は、共有スペクトルまたは無認可スペクトル中の１つまたは複数の周波数帯域を備える、請求項１に記載の方法。
【請求項１４】
前記測定ギャップ構成メッセージは複数の測定ギャップ構成オプションを備え、
前記方法は、前記複数の測定ギャップ構成オプションから前記少なくとも１つの第１のＣＣのための前記測定ギャップ構成を選択することと、前記選択された測定ギャップ構成オプションをシグナリングすることと、をさらに備える、請求項１に記載の方法。
【請求項１５】
前記測定ギャップ構成は、前記複数のＣＣを監視することの途絶を最小限に抑えること、アップリンク（ＵＬ）送信の途絶を最小限に抑えること、またはその両方に少なくとも部分的に基づいて選択される、請求項１４に記載の方法。
【請求項１６】
キャリアアグリゲーション（ＣＡ）構成の複数のコンポーネントキャリア（ＣＣ）を監視しながら１つまたは複数のターゲット周波数帯域を測定するために、ユーザ機器（ＵＥ）の複数の受信機の能力に少なくとも部分的に基づく帯域固有測定ギャップインジケーションを受信することと、
前記帯域固有測定ギャップインジケーションに少なくとも部分的に基づいて測定ギャップのために前記ＵＥを構成することと、
を備える、ワイヤレス通信の方法。
【請求項１７】
測定ギャップのために前記ＵＥを構成することは、
前記測定ギャップパターン中の測定ギャップの長さに少なくとも部分的に基づいて、複数のパターンから測定ギャップパターンを選択すること、
を備える、請求項１６に記載の方法。
【請求項１８】
対応するアップリンク（ＵＬ）構成についてのＵＬ中断に少なくとも部分的に基づいて、前記複数のＣＣのための測定ギャップ構成を決定すること、ここにおいて、前記測定ギャップは、前記決定に少なくとも部分的に基づいて構成される、
をさらに備える、請求項１６に記載の方法。
【請求項１９】
対応するＵＬ構成に少なくとも部分的に基づいて、前記複数のＣＣのための前記測定ギャップ構成を決定することは、
前記対応するＵＬ構成がＵＬ制御チャネルを備えるかどうかを決定すること、ＵＬ制御情報が前記ＵＬ制御チャネル上で送られるかどうかを決定すること、またはその両方
を備える、請求項１８に記載の方法。
【請求項２０】
前記複数のＣＣ上のダウンリンク（ＤＬ）中断を最小限に抑えることに少なくとも部分的に基づいて、前記複数のＣＣのための測定ギャップ構成を決定すること、ここにおいて、前記測定ギャップは、前記決定に少なくとも部分的に基づいて構成される、
をさらに備える、請求項１６に記載の方法。
【請求項２１】
前記ＣＡ構成から、前記ＣＡ構成の前記複数のＣＣの間で最低信号対干渉プラス雑音比（ＳＩＮＲ）を有するＣＣ、またはＣＡ構成の他のＣＣよりも大きい負荷をもつＣＣ、またはその両方を決定すること、ここにおいて、前記測定ギャップは前記決定に少なくとも部分的に基づいて構成される、
をさらに備える、請求項１６に記載の方法。
【請求項２２】
ワイヤレス通信のための装置であって、
キャリアアグリゲーション（ＣＡ）構成の複数のコンポーネントキャリア（ＣＣ）を監視しながら１つまたは複数のターゲット周波数帯域を測定するために、複数の受信機の能力に少なくとも部分的に基づく帯域固有測定ギャップインジケーションをシグナリングするための手段と、
前記１つまたは複数のターゲット周波数帯域のうちの少なくとも１つに関連付けられた前記複数のコンポーネントキャリア（ＣＣ）のうちの少なくとも１つの第１のＣＣのための測定ギャップ構成を備える測定ギャップ構成メッセージを受信するための手段と、ここにおいて、前記測定ギャップ構成は前記帯域固有測定ギャップインジケーションに少なくとも部分的に基づく、
を備える、装置。
【請求項２３】
前記測定ギャップ構成メッセージは、前記少なくとも１つの第１のＣＣのための前記測定ギャップ構成の少なくとも１つのギャップ中に、前記複数のＣＣのうちの少なくとも１つの第２のＣＣを監視するようにとのインジケーションを備える、請求項２２に記載の装置。
【請求項２４】
前記帯域固有測定ギャップインジケーションは、前記１つまたは複数のターゲット周波数帯域の各々を測定することに関連付けられる前記複数のＣＣのサブセットのインジケーションを備える、請求項２２に記載の装置。
【請求項２５】
前記ＣＡ構成とともに使用するために利用可能な１つまたは複数の測定ギャップパターンをシグナリングするための手段、
をさらに備える、請求項２２に記載の装置。
【請求項２６】
前記帯域固有測定ギャップインジケーションは、前記１つまたは複数のターゲット周波数帯域の組合せを測定するために、前記複数の受信機の各々の前記能力に少なくとも部分的に基づく別個のインジケーションを備える、請求項２２に記載の装置。
【請求項２７】
ワイヤレス通信のための装置であって、
キャリアアグリゲーション（ＣＡ）構成の複数のコンポーネントキャリア（ＣＣ）を監視しながら１つまたは複数のターゲット周波数帯域を測定するために、ユーザ機器（ＵＥ）の複数の受信機の能力に少なくとも部分的に基づく帯域固有測定ギャップインジケーションを受信するための手段と、
前記帯域固有測定ギャップインジケーションに少なくとも部分的に基づいて測定ギャップのために前記ＵＥを構成するための手段と、
を備える、装置。
【請求項２８】
測定ギャップのために前記ＵＥを構成することは、
前記測定ギャップパターン中の測定ギャップの長さに少なくとも部分的に基づいて、複数のパターンから測定ギャップパターンを選択すること、
を備える、請求項２７に記載の装置。
【請求項２９】
対応するアップリンク（ＵＬ）構成についてのＵＬ中断に少なくとも部分的に基づいて、前記複数のＣＣのための測定ギャップ構成を決定するための手段、ここにおいて、前記測定ギャップは、前記決定に少なくとも部分的に基づいて構成される、
をさらに備える、請求項２７に記載の装置。
【請求項３０】
前記複数のＣＣ上のダウンリンク（ＤＬ）中断を最小限に抑えることに少なくとも部分的に基づいて、前記複数のＣＣのための測定ギャップ構成を決定するための手段、ここにおいて、前記測定ギャップは、前記決定に少なくとも部分的に基づいて構成される、
をさらに備える、請求項２７に記載の装置。
【請求項３１】
ワイヤレス通信のための装置であって、
プロセッサと、
前記プロセッサと電子通信しているメモリと、
前記メモリに記憶された命令と、を備え、前記命令は、前記プロセッサによって実行されたとき、前記装置に、
キャリアアグリゲーション（ＣＡ）構成の複数のコンポーネントキャリア（ＣＣ）を監視しながら１つまたは複数のターゲット周波数帯域を測定するために、複数の受信機の能力に少なくとも部分的に基づく帯域固有測定ギャップインジケーションをシグナリングすることと、
前記１つまたは複数のターゲット周波数帯域のうちの少なくとも１つに関連付けられた前記複数のコンポーネントキャリア（ＣＣ）のうちの少なくとも１つの第１のＣＣのための測定ギャップ構成を備える測定ギャップ構成メッセージを受信することと、ここにおいて、前記測定ギャップ構成は前記帯域固有測定ギャップインジケーションに少なくとも部分的に基づく、
を行わせるように動作可能である、装置。
【請求項３２】
前記測定ギャップ構成メッセージは、前記少なくとも１つの第１のＣＣのための前記測定ギャップ構成の少なくとも１つのギャップ中に、前記複数のＣＣのうちの少なくとも１つの第２のＣＣを監視するようにとのインジケーションを備える、請求項３１に記載の装置。
【請求項３３】
前記命令は、
前記少なくとも１つのギャップ中に、前記少なくとも１つの第２のＣＣに関連付けられたアップリンク制御メッセージを送信すること、
を行わせるように動作可能である、請求項３２に記載の装置。
【請求項３４】
前記帯域固有測定ギャップインジケーションは、前記１つまたは複数のターゲット周波数帯域の各々を測定することに関連付けられた前記複数のＣＣのサブセットのインジケーションを備える、請求項３１に記載の装置。
【請求項３５】
前記帯域固有測定ギャップインジケーションは、前記複数のＣＣの各々を、前記１つまたは複数のターゲット周波数帯域上の測定ギャップに関連付けるビットマップを備える、請求項３４に記載の装置。
【請求項３６】
前記命令は、
前記ＣＡ構成とともに使用するために利用可能な１つまたは複数の測定ギャップパターンをシグナリングすること、
を行わせるように動作可能である、請求項３１に記載の装置。
【請求項３７】
前記帯域固有測定ギャップインジケーションは、複数のＣＡ受信機構成に対応する複数のサポートされる周波数帯域測定ギャップ関連付けを備える、請求項３１に記載の装置。
【請求項３８】
前記命令は、
前記測定ギャップ構成に従って前記１つまたは複数のターゲット周波数帯域のうちの少なくとも１つ上で測定を実行すること、
を行わせるように動作可能である、請求項３１に記載の装置。
【請求項３９】
前記測定ギャップ構成メッセージは、複数の測定ギャップ構成オプションを備え、
前記命令は、前記装置に、前記複数の測定ギャップ構成オプションから前記少なくとも１つの第１のＣＣのための前記測定ギャップ構成を選択させるように動作可能である、請求項３１に記載の装置。
【請求項４０】
前記測定ギャップ構成は、前記複数のＣＣを監視することの途絶を最小限に抑えること、アップリンク（ＵＬ）送信の途絶を最小限に抑えること、またはその両方に少なくとも部分的に基づいて選択される、請求項３９に記載の装置。
【請求項４１】
前記帯域固有測定ギャップインジケーションは、前記１つまたは複数のターゲット周波数帯域の組合せを測定するための、前記複数の受信機の各々の前記能力に少なくとも部分的に基づく別個のインジケーションを備える、請求項３１に記載の装置。
【請求項４２】
ワイヤレス通信のための装置であって、
プロセッサと、
前記プロセッサと電子通信しているメモリと、
前記メモリに記憶された命令と、を備え、前記命令は、前記プロセッサによって実行されたとき、前記装置に、
キャリアアグリゲーション（ＣＡ）構成の複数のコンポーネントキャリア（ＣＣ）を監視しながら１つまたは複数のターゲット周波数帯域を測定するために、ユーザ機器（ＵＥ）の複数の受信機の能力に少なくとも部分的に基づく帯域固有測定ギャップインジケーションを受信することと、
前記帯域固有測定ギャップインジケーションに少なくとも部分的に基づいて測定ギャップのために前記ＵＥを構成することと、
を行わせるように動作可能である、装置。
【請求項４３】
測定ギャップのために前記ＵＥを構成することは、
前記測定ギャップパターン中の測定ギャップの長さに少なくとも部分的に基づいて、複数のパターンから測定ギャップパターンを選択すること、
を備える、請求項４２に記載の装置。
【請求項４４】
前記命令は、
対応するアップリンク（ＵＬ）構成についてのＵＬ中断に少なくとも部分的に基づいて、前記複数のＣＣのための測定ギャップ構成を決定すること、ここにおいて、前記測定ギャップは、前記決定に少なくとも部分的に基づいて構成される、
を行わせるように動作可能である、請求項４２に記載の装置。
【請求項４５】
対応するＵＬ構成に少なくとも部分的に基づいて、前記複数のＣＣのための前記測定ギャップ構成を決定することは、
前記対応するＵＬ構成がＵＬ制御チャネルを備えるかどうかを決定すること、ＵＬ制御情報が前記ＵＬ制御チャネル上で送られるかどうかを決定すること、またはその両方
を備える、請求項４４に記載の装置。
【請求項４６】
前記命令は、
前記複数のＣＣ上のダウンリンク（ＤＬ）中断を最小限に抑えることに少なくとも部分的に基づいて、前記複数のＣＣのための測定ギャップ構成を決定すること、ここにおいて、前記測定ギャップは、前記決定に少なくとも部分的に基づいて構成される、
を行わせるように動作可能である、請求項４２に記載の装置。
【請求項４７】
前記命令は、
前記ＣＡ構成から、前記ＣＡ構成の前記複数のＣＣの間で最低信号対干渉プラス雑音比（ＳＩＮＲ）を有するＣＣ、またはＣＡ構成の他のＣＣよりも大きい負荷をもつＣＣ、またはその両方を決定すること、ここにおいて、前記測定ギャップは前記決定に少なくとも部分的に基づいて構成される、
を行わせるように動作可能である、請求項４２に記載の装置。
【請求項４８】
ワイヤレス通信のためのコードを記憶する非一時的コンピュータ可読媒体であって、前記コードは、
キャリアアグリゲーション（ＣＡ）構成の複数のコンポーネントキャリア（ＣＣ）を監視しながら１つまたは複数のターゲット周波数帯域を測定するために、複数の受信機の能力に少なくとも部分的に基づく帯域固有測定ギャップインジケーションをシグナリングすることと、
前記１つまたは複数のターゲット周波数帯域のうちの少なくとも１つに関連付けられた前記複数のＣＣのうちの少なくとも１つの第１のＣＣのための測定ギャップ構成を備える測定ギャップ構成メッセージを受信することと、ここにおいて、前記測定ギャップ構成は前記帯域固有測定ギャップインジケーションに少なくとも部分的に基づく、
を行うために実行可能な命令を備える、非一時的コンピュータ可読媒体。
【請求項４９】
前記測定ギャップ構成メッセージは、前記少なくとも１つの第１のＣＣのための前記測定ギャップ構成の少なくとも１つのギャップ中に、前記複数のＣＣのうちの少なくとも１つの第２のＣＣを監視するようにとのインジケーションを備える、請求項４８に記載の非一時的コンピュータ可読媒体。
【請求項５０】
ワイヤレス通信のためのコードを記憶する非一時的コンピュータ可読媒体であって、前記コードは、
キャリアアグリゲーション（ＣＡ）構成の複数のコンポーネントキャリア（ＣＣ）を監視しながら１つまたは複数のターゲット周波数帯域を測定するために、ユーザ機器（ＵＥ）の複数の受信機の能力に少なくとも部分的に基づく帯域固有測定ギャップインジケーションを受信することと、
前記帯域固有測定ギャップインジケーションに少なくとも部分的に基づいて測定ギャップのために前記ＵＥを構成することと、
を行うために実行可能な命令を備える、非一時的コンピュータ可読媒体。
【発明の詳細な説明】
【優先権の主張】
【０００１】
相互参照
本特許出願は、各々が本出願の譲受人に譲渡された、２０１５年５月１５日に出願された、「Measurement Gaps in Carrier Aggregation」と題する、Ｇｈｅｏｒｇｈｉｕらによる米国仮特許出願第６２／１６２，５４３号、および２０１６年５月１２日に出願された、「Measurement Gaps in Carrier Aggregation」と題する、Ｇｈｅｏｒｇｈｉｕらによる米国特許出願第１５／１５２，８９０号の優先権を主張する。
【技術分野】
【０００２】
以下は、一般にワイヤレス通信に関し、より詳細には、キャリアアグリゲーションにおける測定ギャップ（measurement gap）に関する。
【背景技術】
【０００３】
[0003]ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能であり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（たとえば、ロングタームエボリューション（ＬＴＥ（登録商標））システム）がある。ワイヤレス多元接続通信システムは、場合によってはユーザ機器（ＵＥ）として知られていることがある、複数の通信デバイスのための通信を各々が同時にサポートする、いくつかの基地局を含み得る。
【０００４】
[0004]いくつかの場合には、ユーザ機器（ＵＥ）は、キャリアアグリゲーション（ＣＡ）構成における複数のコンポーネントキャリア（ＣＣ）で構成され得る。ＣＡ構成におけるＵＥは、異なるＣＣ上で通信するために複数の受信機を使用し得る。いくつかのシステムでは、ＵＥがネイバリングセル上で測定を実行するのを支援するために、固定長測定ギャップが与えられ得る。スケジュールされた測定ギャップ中に、ＵＥは、サービング基地局とのそれの通信を休止し、サービング基地局との通信を監視することを予想されないが、ＵＥは、ターゲット周波数帯域を測定するために、ＵＥの無線機を同調させるかまたは他のアクションをとる。サービング基地局と通信することにおけるそのような休止は、ＵＥが多数のコンポーネントキャリアで構成されたときに悪化され得る、遅延または低減されたスループットを生じ得る。
【発明の概要】
【０００５】
[0005]ユーザ機器（ＵＥ）は、キャリアアグリゲーション（ＣＡ）構成のコンポーネントキャリア（ＣＣ）のセットを監視しながらターゲット周波数帯域を測定するために、受信機のセットの能力に基づく帯域固有測定ギャップインジケーション（band-specific measurement gap indication）をシグナリングし得る。ＵＥは、帯域固有測定ギャップインジケーションに基づいてターゲット周波数帯域のうちの１つまたは複数に関連付けられた第１のＣＣのための測定ギャップ構成を受信し得る。ＵＥは、次いで、測定ギャップ構成に従ってターゲット周波数帯域のうちの１つまたは複数の測定を実行し得るが、依然として、（たとえば、異なる受信機を使用して）ダウンリンクメッセージを受信し、第１のＣＣのために構成されたギャップ中に第２のＣＣに関連付けられたアップリンク制御メッセージを送信し得る。いくつかの例では、ＵＥは、どの１つまたは複数のＣＣが、対応する受信機による測定を可能にするためにギャップを必要とするかのインジケーションを与えることによって、特定のＣＡ構成および（１つまたは複数の）ターゲット周波数帯域に関するＵＥの能力をシグナリングする。同様に、ＵＥは、所与のＣＡ構成において異なるターゲット周波数帯域をもつ異なる測定ギャップパターンを使用するためのＵＥのサポートをシグナリングすることができる。基地局は、ＵＥのための最適化された測定構成を作成するために、異なる構成におけるＵＥ能力についての情報を利用することができる。たとえば、基地局は、対応するアップリンクコンポーネントキャリアがあるかどうか、対応するＵＬキャリアが制御チャネルを与えるかどうか、制御情報が共有ＵＬチャネル上で送られるかどうかなどに従って、測定ギャップのためのＣＣを選択することができる。基地局は、ＵＥ能力に従って、ＵＥがそれのＣＡ構成のギャップがないＣＣ上で通信し続けるように、ＤＬ動作に対する中断を最小限に抑えることなどのための基準に基づいて、測定ギャップのためのＣＣを同様に選定することができる。いくつかの例では、基地局は、構成オプションのセットを含み得る測定ギャップ構成メッセージを送ることができ、ＵＥは、構成オプションのセットから第１のＣＣのための測定ギャップ構成を選択し得る。他の例では、測定ギャップ構成メッセージは、測定ギャップ中に第１のＣＣ上で測定を実行しないようにとのインジケーションを含み得る。
【０００６】
[0006]ワイヤレス通信の方法が説明される。本方法は、ＣＡ構成の複数のＣＣを監視しながら１つまたは複数のターゲット周波数帯域を測定するために、複数の受信機の能力に少なくとも部分的に基づく帯域固有測定ギャップインジケーションをシグナリングすることと、ターゲット周波数帯域のうちの少なくとも１つの測定に関連付けられた複数のＣＣのうちの少なくとも１つの第１のＣＣのための測定ギャップ構成を備える測定ギャップ構成メッセージを受信することと、ここにおいて、測定ギャップ構成が帯域固有測定ギャップインジケーションに少なくとも部分的に基づく、を含み得る。
【０００７】
[0007]ワイヤレス通信のための装置が説明される。本装置は、ＣＡ構成の複数のＣＣを監視しながら１つまたは複数のターゲット周波数帯域を測定するために、複数の受信機の能力に少なくとも部分的に基づく帯域固有測定ギャップインジケーションをシグナリングするための手段と、ターゲット周波数帯域のうちの少なくとも１つに関連付けられた複数のＣＣのうちの少なくとも１つの第１のＣＣのための測定ギャップ構成を備える測定ギャップ構成メッセージを受信するための手段と、ここにおいて、測定ギャップ構成が帯域固有測定ギャップインジケーションに少なくとも部分的に基づく、を含み得る。
【０００８】
[0008]ワイヤレス通信のためのさらなる装置が説明される。本装置は、プロセッサと、プロセッサと電子通信しているメモリと、メモリに記憶された命令とを含み得、命令は、プロセッサによって実行されたとき、本装置に、ＣＡ構成の複数のＣＣを監視しながら１つまたは複数のターゲット周波数帯域を測定するために、複数の受信機の能力に少なくとも部分的に基づく帯域固有測定ギャップインジケーションをシグナリングすることと、ターゲット周波数帯域のうちの少なくとも１つに関連付けられた複数のＣＣのうちの少なくとも１つの第１のＣＣのための測定ギャップ構成を備える測定ギャップ構成メッセージを受信することと、ここにおいて、測定ギャップ構成が帯域固有測定ギャップインジケーションに少なくとも部分的に基づく、を行わせるように動作可能である。
【０００９】
[0009]ワイヤレス通信のためのコードを記憶する非一時的コンピュータ可読媒体が説明される。コードは、ＣＡ構成の複数のＣＣを監視しながら１つまたは複数のターゲット周波数帯域を測定するための、複数の受信機の能力に少なくとも部分的に基づく帯域固有測定ギャップインジケーションをシグナリングすることと、ターゲット周波数帯域のうちの少なくとも１つに関連付けられた複数のＣＣのうちの少なくとも１つの第１のＣＣのための測定ギャップ構成を備える測定ギャップ構成メッセージを受信することと、ここにおいて、測定ギャップ構成が帯域固有測定ギャップインジケーションに少なくとも部分的に基づく、を行うために実行可能な命令を含み得る。
【００１０】
[0010]本明細書で説明される方法、装置、または非一時的コンピュータ可読媒体のいくつかの例では、測定ギャップ構成メッセージは、少なくとも１つの第１のＣＣのための測定ギャップ構成の少なくとも１つのギャップ中に、複数のＣＣのうちの少なくとも１つの第２のＣＣを監視するようにとのインジケーションを備える。追加または代替として、いくつかの例は、少なくとも１つのギャップ中に第２のＣＣに関連付けられたアップリンク制御メッセージを送信するためのプロセス、特徴、手段、または命令を含み得る。
【００１１】
[0011]本明細書で説明される方法、装置、または非一時的コンピュータ可読媒体のいくつかの例では、測定ギャップ構成メッセージは、少なくとも１つの第１のＣＣを監視することが、ＣＡ構成における他のＣＣの監視が中断なしに続く間、１つまたは複数のターゲット周波数帯域のうちの少なくとも１つを測定するためにその間に中断され得る、１つまたは複数のギャップのインジケーションを備える。追加または代替として、いくつかの例では、測定ギャップ構成メッセージは、複数のＣＣのうちの異なるＣＣのための異なる測定ギャップ構成のインジケーションを備える。
【００１２】
[0012]本明細書で説明される方法、装置、または非一時的コンピュータ可読媒体のいくつかの例では、測定ギャップ構成メッセージは、測定ギャップ中に少なくとも１つの第１のＣＣ上で測定を実行しないようにとのインジケーションを備える。
【００１３】
[0013]本明細書で説明される方法、装置、または非一時的コンピュータ可読媒体のいくつかの例では、１つまたは複数のターゲット周波数帯域は、共有スペクトルまたは無認可スペクトル中の１つまたは複数の周波数帯域を備える。
【００１４】
[0014]本明細書で説明される方法、装置、または非一時的コンピュータ可読媒体のいくつかの例では、帯域固有測定ギャップインジケーションは、１つまたは複数のターゲット周波数帯域の各々を測定することに関連付けられた複数のＣＣのサブセットのインジケーションを備える。追加または代替として、いくつかの例では、帯域固有測定ギャップインジケーションは、複数のＣＣの各々を、１つまたは複数のターゲット周波数帯域上の測定ギャップに関連付けるビットマップを備える。
【００１５】
[0015]本明細書で説明される方法、装置、または非一時的コンピュータ可読媒体のいくつかの例は、ＣＡ構成とともに使用するために利用可能な１つまたは複数の測定ギャップパターンをシグナリングするためのプロセス、特徴、手段、または命令をさらに含み得る。追加または代替として、いくつかの例では、帯域固有測定ギャップインジケーションは、複数のＣＡ受信機構成に対応する複数のサポートされる周波数帯域測定ギャップ関連付けを備える。
【００１６】
[0016]本明細書で説明される方法、装置、または非一時的コンピュータ可読媒体のいくつかの例は、測定ギャップ構成に従ってターゲット周波数帯域のうちの１つまたは複数上で測定を実行するためのプロセス、特徴、手段、または命令をさらに含み得る。追加または代替として、いくつかの例では、測定ギャップ構成メッセージは、複数の測定ギャップ構成オプションと、複数の測定ギャップ構成オプションから少なくとも１つの第１のＣＣのための測定ギャップ構成を選択することとを備える。
【００１７】
[0017]本明細書で説明される方法、装置、または非一時的コンピュータ可読媒体のいくつかの例では、測定ギャップ構成は、複数のＣＣを監視することの途絶（disruption）を最小限に抑えること、ＵＬ送信の途絶（disruption）を最小限に抑えること、またはその両方に少なくとも部分的に基づいて選択される。追加または代替として、いくつかの例では、帯域固有測定ギャップインジケーションは、１つまたは複数のターゲット周波数帯域の組合せを測定するための、複数の受信機の各々の能力に少なくとも部分的に基づく別個のインジケーションを備える。
【００１８】
[0018]ワイヤレス通信の方法が説明される。本方法は、ＣＡ構成において、ＵＬ制御チャネルをもつ少なくとも１つの第１のＣＣが測定ギャップ中に利用不可能であると決定することと、決定に少なくとも部分的に基づいて、測定ギャップ中に制御チャネルで第２のＣＣ上でＵＬ制御情報を送信することとを含み得る。
【００１９】
[0019]ワイヤレス通信のための装置が説明される。本装置は、ＣＡ構成において、ＵＬ制御チャネルをもつ少なくとも１つの第１のＣＣが測定ギャップ中に利用不可能であると決定するための手段と、決定に少なくとも部分的に基づいて、測定ギャップ中に制御チャネルで第２のＣＣ上でＵＬ制御情報を送信するための手段とを含み得る。
【００２０】
[0020]ワイヤレス通信のためのさらなる装置が説明される。本装置は、プロセッサと、プロセッサと電子通信しているメモリと、メモリに記憶された命令とを含み得、命令は、プロセッサによって実行されたとき、本装置に、ＣＡ構成において、ＵＬをもつ少なくとも１つの第１のＣＣが測定ギャップ中に利用不可能であると決定することと、決定に少なくとも部分的に基づいて、測定ギャップ中に制御チャネルで第２のＣＣ上でＵＬ制御情報を送信することとを行わせるように動作可能である。
【００２１】
[0021]ワイヤレス通信のためのコードを記憶する非一時的コンピュータ可読媒体が説明される。コードは、ＣＡ構成において、ＵＬ制御チャネルをもつ少なくとも１つの第１のＣＣが測定ギャップ中に利用不可能であると決定することと、決定に少なくとも部分的に基づいて、測定ギャップ中に制御チャネルで第２のＣＣ上でＵＬ制御情報を送信することとを行うために実行可能な命令を含み得る。
【００２２】
[0022]本明細書で説明される方法、装置、または非一時的コンピュータ可読媒体のいくつかの例は、第２のＣＣを自律的に(autonomously)選択すること、ここにおいて、ＵＬ制御情報が自律選択(autonomous selection)に少なくとも部分的に基づいて送信される、を行うためのプロセス、特徴、手段、または命令をさらに含み得る。追加または代替として、いくつかの例では、第２のＣＣは、所定の優先度のセット、ネットワークシグナリング、ＵＥの無線周波数（ＲＦ）アーキテクチャ、またはそれらの組合せに少なくとも部分的に基づいて自律的に選択される。
【００２３】
[0023]本明細書で説明される方法、装置、または非一時的コンピュータ可読媒体のいくつかの例は、測定ギャップ構成を受信すること、ここにおいて、少なくとも１つの第１のＣＣが利用不可能であると決定することが、測定ギャップ構成に少なくとも部分的に基づく、を行うためのプロセス、特徴、手段、または命令をさらに含み得る。追加または代替として、いくつかの例では、ＵＬ制御情報は、チャネル状態フィードバック、ハイブリッド自動再送要求（ＨＡＲＱ：hybrid automatic repeat request）フィードバック、またはその両方を備える。
【００２４】
[0024]ワイヤレス通信の方法が説明される。本方法は、ＣＡ構成の複数のＣＣを監視しながら１つまたは複数のターゲット周波数帯域を測定するための、ＵＥの複数の受信機の能力に少なくとも部分的に基づく帯域固有測定ギャップインジケーションを受信することと、能力のインジケーションに少なくとも部分的に基づいて測定ギャップのためにＵＥを構成することとを含み得る。
【００２５】
[0025]ワイヤレス通信のための装置が説明される。本装置は、ＣＡ構成の複数のＣＣを監視しながら１つまたは複数のターゲット周波数帯域を測定するための、ＵＥの複数の受信機の能力に少なくとも部分的に基づく帯域固有測定ギャップインジケーションを受信するための手段と、能力のインジケーションに少なくとも部分的に基づいて測定ギャップのためにＵＥを構成するための手段とを含み得る。
【００２６】
[0026]ワイヤレス通信のためのさらなる装置が説明される。本装置は、プロセッサと、プロセッサと電子通信しているメモリと、メモリに記憶された命令とを含み得、命令は、プロセッサによって実行されたとき、本装置に、ＣＡ構成の複数のＣＣを監視しながら１つまたは複数のターゲット周波数帯域を測定するための、ＵＥの複数の受信機の能力に少なくとも部分的に基づく帯域固有測定ギャップインジケーションを受信することと、能力のインジケーションに少なくとも部分的に基づいて測定ギャップのためにＵＥを構成することとを行わせるように動作可能である。
【００２７】
[0027]ワイヤレス通信のためのコードを記憶する非一時的コンピュータ可読媒体が説明される。コードは、ＣＡ構成の複数のＣＣを監視しながら１つまたは複数のターゲット周波数帯域を測定するための、ＵＥの複数の受信機の能力に少なくとも部分的に基づく帯域固有測定ギャップインジケーションを受信することと、能力のインジケーションに少なくとも部分的に基づいて測定ギャップのためにＵＥを構成することとを行うために実行可能な命令を含み得る。
【００２８】
[0028]本明細書で説明される方法、装置、または非一時的コンピュータ可読媒体のいくつかの例では、測定ギャップのためにＵＥを構成することは、測定ギャップパターン中の測定ギャップの長さに少なくとも部分的に基づいて、複数のパターンから測定ギャップパターンを選択することを備える。追加または代替として、いくつかの例は、対応するＵＬ構成についてのＵＬ中断に少なくとも部分的に基づいて、複数のＣＣのための測定ギャップ構成を決定すること、ここにおいて、測定ギャップが決定に少なくとも部分的に基づいて構成された、を行うためのプロセス、特徴、手段、または命令を含み得る。
【００２９】
[0029]本明細書で説明される方法、装置、または非一時的コンピュータ可読媒体のいくつかの例では、対応するＵＬ構成に少なくとも部分的に基づいて、複数のＣＣのための測定ギャップ構成を決定することは、対応するＵＬ構成がＵＬ制御チャネルを備えるかどうかを決定すること、ＵＬ制御情報がＵＬ制御チャネル上で送られるかどうかを決定すること、またはその両方を備える。追加または代替として、いくつかの例は、複数のＣＣ上のダウンリンク（ＤＬ）中断を最小限に抑えることに少なくとも部分的に基づいて、複数のＣＣのための測定ギャップ構成を決定すること、ここにおいて、測定ギャップが決定に少なくとも部分的に基づいて構成された、を行うためのプロセス、特徴、手段、または命令を含み得る。
【００３０】
[0030]本明細書で説明される方法、装置、または非一時的コンピュータ可読媒体のいくつかの例は、ＣＡ構成から、ＣＡ構成の複数のＣＣの間で最低信号対干渉プラス雑音比（ＳＩＮＲ：signal to interference plus noise ratio）を有するＣＣ、またはＣＡ構成の他のＣＣよりも大きい負荷をもつＣＣ、またはその両方を決定すること、ここにおいて、測定ギャップが決定に少なくとも部分的に基づいて構成された、を行うためのプロセス、特徴、手段、または命令をさらに含み得る。
【００３１】
[0031]ワイヤレス通信の方法が説明される。本方法は、ＣＡ構成において、ＵＥのために構成された測定ギャップに少なくとも部分的に基づいてＵＬ制御チャネルをもつ少なくとも１つの第１のＣＣが利用不可能であると決定することと、決定に少なくとも部分的に基づいて測定ギャップ中にＵＬ制御チャネルで第２のＣＣ上でＵＬ制御情報を受信することとを含み得る。
【００３２】
[0032]ワイヤレス通信のための装置が説明される。本装置は、ＣＡ構成において、ＵＥのために構成された測定ギャップに少なくとも部分的に基づいてＵＬ制御チャネルをもつ少なくとも１つの第１のＣＣが利用不可能であると決定するための手段と、決定に少なくとも部分的に基づいて測定ギャップ中にＵＬ制御チャネルで第２のＣＣ上でＵＬ制御情報を受信するための手段とを含み得る。
【００３３】
[0033]ワイヤレス通信のためのさらなる装置が説明される。本装置は、プロセッサと、プロセッサと電子通信しているメモリと、メモリに記憶された命令とを含み得、命令は、プロセッサによって実行されたとき、本装置に、ＣＡ構成において、ＵＥのために構成された測定ギャップに少なくとも部分的に基づいてＵＬ制御チャネルをもつ少なくとも１つの第１のＣＣが利用不可能であると決定することと、決定に少なくとも部分的に基づいて測定ギャップ中にＵＬ制御チャネルで第２のＣＣ上でＵＬ制御情報を受信することとを行わせるように動作可能である。
【００３４】
[0034]ワイヤレス通信のためのコードを記憶する非一時的コンピュータ可読媒体が説明される。コードは、ＣＡ構成において、ＵＥのために構成された測定ギャップに少なくとも部分的に基づいてＵＬ制御チャネルをもつ少なくとも１つの第１のＣＣが利用不可能であると決定することと、決定に少なくとも部分的に基づいて測定ギャップ中にＵＬ制御チャネルで第２のＣＣ上でＵＬ制御情報を受信することとを行うために実行可能な命令を含み得る。
【００３５】
[0035]本明細書で説明される方法、装置、または非一時的コンピュータ可読媒体のいくつかの例は、測定ギャップのためにＵＥを構成すること、ここにおいて、決定が測定ギャップ構成に少なくとも部分的に基づく、を行うためのプロセス、特徴、手段、または命令をさらに含み得る。追加または代替として、いくつかの例では、第２のＣＣはＵＥによって自律的に選択される。
【００３６】
[0036]本明細書で説明される方法、装置、または非一時的コンピュータ可読媒体のいくつかの例では、第２のＣＣは、所定の優先度のセット、ネットワークシグナリング、ＵＥのＲＦアーキテクチャ、またはそれらの組合せに少なくとも部分的に基づいて自律的に選択される。追加または代替として、いくつかの例では、ＵＬ制御情報は、チャネル状態フィードバック、ＨＡＲＱフィードバック、またはその両方を備える。
【００３７】
[0037]本開示の態様は、以下の図を参照して説明される。
【図面の簡単な説明】
【００３８】
【図１】[0038]本開示の様々な態様による、キャリアアグリゲーションにおける測定ギャップをサポートするワイヤレス通信システムの一例を示す図。
【図２】[0039]本開示の様々な態様による、キャリアアグリゲーションにおける測定ギャップをサポートするワイヤレス通信サブシステムの一例を示す図。
【図３】[0040]本開示の様々な態様による、キャリアアグリゲーションにおける測定ギャップをサポートする測定ギャップ構成の一例を示す図。
【図４】[0041]本開示の様々な態様による、キャリアアグリゲーションにおける測定ギャップをサポートするプロセスフローの一例を示す図。
【図５】[0042]本開示の様々な態様による、キャリアアグリゲーションにおける測定ギャップをサポートするワイヤレスデバイスのブロック図。
【図６】本開示の様々な態様による、キャリアアグリゲーションにおける測定ギャップをサポートするワイヤレスデバイスのブロック図。
【図７】本開示の様々な態様による、キャリアアグリゲーションにおける測定ギャップをサポートするワイヤレスデバイスのブロック図。
【図８】[0043]本開示の様々な態様による、キャリアアグリゲーションにおける測定ギャップをサポートするユーザ機器（ＵＥ）を含むシステムのブロック図。
【図９】[0044]本開示の様々な態様による、キャリアアグリゲーションにおける測定ギャップをサポートするワイヤレスデバイスのブロック図。
【図１０】本開示の様々な態様による、キャリアアグリゲーションにおける測定ギャップをサポートするワイヤレスデバイスのブロック図。
【図１１】本開示の様々な態様による、キャリアアグリゲーションにおける測定ギャップをサポートするワイヤレスデバイスのブロック図。
【図１２】[0045]本開示の様々な態様による、キャリアアグリゲーションにおける測定ギャップをサポートする基地局を含むシステムのブロック図。
【図１３】[0046]本開示の様々な態様による、キャリアアグリゲーションにおける測定ギャップのための方法を示す図。
【図１４】本開示の様々な態様による、キャリアアグリゲーションにおける測定ギャップのための方法を示す図。
【図１５】本開示の様々な態様による、キャリアアグリゲーションにおける測定ギャップのための方法を示す図。
【図１６】本開示の様々な態様による、キャリアアグリゲーションにおける測定ギャップのための方法を示す図。
【図１７】本開示の様々な態様による、キャリアアグリゲーションにおける測定ギャップのための方法を示す図。
【図１８】本開示の様々な態様による、キャリアアグリゲーションにおける測定ギャップのための方法を示す図。
【図１９】本開示の様々な態様による、キャリアアグリゲーションにおける測定ギャップのための方法を示す図。
【図２０】本開示の様々な態様による、キャリアアグリゲーションにおける測定ギャップのための方法を示す図。
【発明を実施するための形態】
【００３９】
[0047]いくつかのワイヤレスシステムでは、セル発見、信号強度測定などのアクションを支援し得る同期信号が、ユーザ機器（ＵＥ）と基地局との間で送られ得る。ＵＥが接続性を維持するために、ＵＥは、異なるサービングセルを監視するために（たとえば、異なる周波数上でカバレージが異なる場所で、または負荷分散する目的で）異なる周波数に切り替え得る。いくつかの場合には、ＵＥは、異なる周波数上で（たとえば、セルを発見するか、または信号強度を測定するために）測定を実行し得る。この目的で、ＵＥは、サービングセルを監視することを停止し、測定ギャップを使用して別の周波数に再同調し得る。
【００４０】
[0048]キャリアアグリゲーション（ＣＡ）対応ＵＥは、ＵＥが複数の周波数を同時に監視することを可能にし得る複数の受信機を有し得る。いくつかの場合には、測定ギャップは、アグリゲートされたキャリアについて共通であり、すなわち、それらのキャリアについて同時に生じ、コンポーネントキャリア（ＣＣ）ごとに独立して構成されないことがある。しかしながら、ＵＥは、別のサービングセルを監視するために１つの受信機を必要とし得るが、これを達成するために、他の受信機は中断され得る。
【００４１】
[0049]したがって、本明細書で説明されるように、ネットワークは測定ギャップを各ＣＣ上で独立して構成し得る。ＵＥ能力に基づいて、ネットワークは、測定ギャップをその上で構成すべき正しい１つまたは複数のＣＣを選び得る。中断されるキャリアの数を低減することは、より高いスループットまたはスケジューリングフレキシビリティを達成するために、ネットワークが無中断キャリアを使用することを可能にし得る。さらに、ネットワークは、個々のＣＣのために異なるギャップパターンを選定し得る。これは、たとえば、中断時間（すなわち、低減されたスケジューリング機会）に関して、アグリゲートされたキャリアに対する異なる影響を有し得る。
【００４２】
[0050]ＵＥから受信された情報に基づいて、基地局は、ＵＥが測定のためにどの受信機を使用すべきであるかを選び得、ＣＣのサブセットのための測定ギャップを構成し得る。いくつかの場合には、ＵＥが非サービング周波数の測定のための複数のギャップパターンをサポートする場合、基地局は、アグリゲートされたキャリアに対する最小影響をもつキャリアを選び得る。ネットワークはまた、ダウンリンク（ＤＬ）またはアップリンク（ＵＬ）通信に対する最小影響を有するＣＣ上で測定ギャップを構成し得る。いくつかの場合には、基地局は、ＵＥ能力に基づいて測定ギャップを構成し得、ＵＥは、どの測定ギャップパターンを使用すべきかを選び得る。
【００４３】
[0051]基地局はまた、制御情報に対する影響が最小限に抑えられ得るようにＵＬ構成を変更し得る。たとえば、基地局は、ＵＬを、その上にギャップがない異なるＣＣに切り替え得る。ここで、制御情報は、制御情報をもつＣＣ上でＵＬが利用可能でないとき、測定ギャップ中に異なるＵＬ上で送られ得る。また、ＵＥは、制御情報のために使用されるデフォルトＣＣが利用可能でない場合、どのＵＬチャネルに制御データを送るべきかを自律的に選び得る。
【００４４】
[0052]本開示の態様は、最初に、ワイヤレス通信システムのコンテキストにおいて説明される。次いで、特定の測定ギャップ構成について特定の例が説明される。本開示のこれらおよび他の態様は、さらに、キャリアアグリゲーションにおける測定ギャップに関係する装置図、システム図、およびフローチャートによって示され、それらを参照しながら説明される。
【００４５】
[0053]図１は、本開示の様々な態様による、ワイヤレス通信システム１００の一例を示す。ワイヤレス通信システム１００は、基地局１０５と、ＵＥ１１５と、コアネットワーク１３０とを含む。いくつかの例では、ワイヤレス通信システム１００はロングタームエボリューション（ＬＴＥ）／ＬＴＥアドバンスト（ＬＴＥ−ａ）ネットワークであり得る。ワイヤレス通信システム１００は、ＵＥ１１５が、別の受信機を用いてネイバリング周波数帯域を測定しながら、いくつかのＣＣを監視し続け得る測定ギャップパターンでＵＥ１１５が構成されたシステムの一例を示し得る。
【００４６】
[0054]基地局１０５は、１つまたは複数の基地局アンテナを介して、ＵＥ１１５とワイヤレスに通信し得る。各基地局１０５は、それぞれの地理的カバレージエリア１１０に通信カバレージを与え得る。ワイヤレス通信システム１００に示されている通信リンク１２５は、ＵＥ１１５から基地局１０５へのアップリンク（ＵＬ）送信、または基地局１０５からＵＥ１１５へのダウンリンク（ＤＬ）送信を含み得る。ＵＥ１１５は、ワイヤレス通信システム１００全体にわたって分散され得、各ＵＥ１１５は固定または移動であり得る。ＵＥ１１５は、移動局、加入者局、リモートユニット、ワイヤレスデバイス、アクセス端末、ハンドセット、ユーザエージェント、クライアント、または何らかの他の好適な用語で呼ばれることもある。ＵＥ１１５はまた、セルラーフォン、ワイヤレスモデム、ハンドヘルドデバイス、パーソナルコンピュータ、タブレット、パーソナル電子デバイス、マシンタイプ通信（ＭＴＣ）デバイスなどであり得る。
【００４７】
[0055]基地局１０５は、コアネットワーク１３０および互いと通信し得る。たとえば、基地局１０５は、バックホールリンク１３２（たとえば、Ｓ１など）を通してコアネットワーク１３０とインターフェースし得る。基地局１０５は、直接または間接的にのいずれかで（たとえば、コアネットワーク１３０を通して）バックホールリンク１３４（たとえば、Ｘ２など）を介して互いと通信し得る。基地局１０５は、ＵＥ１１５との通信のための無線構成およびスケジューリングを実行し得るか、または基地局コントローラ（図示せず）の制御下で動作し得る。いくつかの例では、基地局１０５は、マクロセル、スモールセル、ホットスポットなどであり得る。基地局１０５はｅノードＢ（ｅＮＢ）１０５と呼ばれることもある。
【００４８】
[0056]通信リンク１２５は、キャリアに編成された１つまたは複数の周波数範囲を含み得る。キャリアは、ＣＣ、レイヤ、チャネルなどと呼ばれることもある。「コンポーネントキャリア」という用語は、キャリアアグリゲーション（ＣＡ）動作においてＵＥによって利用される複数のキャリアの各々を指すことがあり、システム帯域幅の他の部分とは別個であり得る。たとえば、コンポーネントキャリアは、独立して、または他のコンポーネントキャリアと組み合わせて利用されることが可能である比較的狭い帯域幅のキャリアであり得る。各コンポーネントキャリアは、ＬＴＥ規格のリリース８またはリリース９に基づく分離キャリアと同じ能力を与え得る。複数のコンポーネントキャリアは、いくつかのＵＥ１１５に、より大きい帯域幅と、たとえば、より高いデータレートとを与えるために、アグリゲートされるか、またはコンカレントに利用され得る。したがって、個々のコンポーネントキャリアは、レガシーＵＥ１１５（たとえば、ＬＴＥリリース８またはリリース９を実装するＵＥ１１５）との後方互換性があることがあるが、他のＵＥ１１５（たとえば、リリース８／９後のＬＴＥバージョンを実装するＵＥ１１５）は、マルチキャリアモードにおいて複数のコンポーネントキャリアで構成され得る。ダウンリンク（ＤＬ）のために使用されるキャリアはＤＬ  ＣＣと呼ばれることがあり、アップリンク（ＵＬ）のために使用されるキャリアはＵＬ  ＣＣと呼ばれることがある。ＵＥ１１５は、キャリアアグリゲーションのために、複数のＤＬコンポーネントキャリア（ＣＣ）と１つまたは複数のＵＬ  ＣＣとで構成され得る。各キャリアは、制御情報（たとえば、基準信号、制御チャネルなど）、オーバーヘッド情報、データなどを送信するために使用され得る。ＵＥ１１５は、複数のキャリアを利用して単一の基地局１０５と通信し得、また、異なるキャリア上で同時に複数の基地局と通信し得る。
【００４９】
[0057]基地局１０５の各セルは、ＵＬコンポーネントキャリア（ＣＣ）とＤＬ  ＣＣとを含み得る。基地局１０５のための各サービングセルの地理的カバレージエリア１１０は異なり得る（たとえば、異なる周波数帯域上のＣＣは、異なる経路損失を経験し得る）。いくつかの例では、あるキャリアは、１次セル（ＰＣｅｌｌ）によってサービスされ得る、ＵＥ１１５のための１次キャリアまたは１次コンポーネントキャリア（ＰＣＣ）として指定される。１次セルは、ＵＥごとに上位レイヤ（たとえば、無線リソース制御（ＲＲＣ）など）によって半静的に構成され得る。物理アップリンク制御チャネル（ＰＵＣＣＨ）上で送信される、あるアップリンク制御情報（ＵＣＩ）、たとえば、確認応答（ＡＣＫ）／ＮＡＣＫ、チャネル品質インジケータ（ＣＱＩ）、およびスケジューリング情報は、１次セルによって搬送される。追加のキャリアは、２次セル（ＳＣｅｌｌ）によってサービスされ得る、２次キャリア、または２次コンポーネントキャリア（ＳＣＣ）として指定され得る。２次セルは、同様に、ＵＥごとに半静的に構成され得る。いくつかの場合には、２次セルは、１次セルと同じ制御情報を含まないかまたはそれを送信するように構成されないことがある。他の場合には、１つまたは複数のＳＣｅｌｌは、ＰＵＣＣＨを搬送するために指定され得、ＳＣｅｌｌは、関連するＵＬ制御情報を搬送するためにどのＣＣが使用されるかに基づいてＰＵＣＣＨグループに編成され得る。いくつかのワイヤレスネットワークは、多数のキャリア（たとえば、５つのキャリアから３２個のキャリアの間）に基づく拡張ＣＡ動作、無認可スペクトル中の動作、または拡張ＣＣの使用を利用し得る。
【００５０】
[0058]ワイヤレスネットワークにアクセスすることを試みるＵＥ１１５は、基地局１０５からの１次同期信号（ＰＳＳ）を検出することによって、初期セル探索を実行し得る。ＰＳＳは、スロットタイミングの同期を可能にし得、物理レイヤ識別情報値を示し得る。次いで、ＵＥ１１５は、２次同期信号（ＳＳＳ）を受信し得る。ＳＳＳは、無線フレーム同期を可能にし得、セル識別情報値を与え得、セル識別情報値は、セルを識別するために、物理レイヤ識別情報値と組み合わせられ得る。ＳＳＳはまた、複信モードおよびサイクリックプレフィックス長の検出を可能にし得る。時分割複信（ＴＤＤ）システムなど、いくつかのシステムは、ＳＳＳを送信するが、ＰＳＳを送信しないことがある。ＰＳＳとＳＳＳの両方が、それぞれ、キャリアの中心の６２個と７２個のサブキャリア中にあり得る。ＰＳＳとＳＳＳとを受信した後に、ＵＥ１１５は、物理ブロードキャストチャネル（ＰＢＣＨ）中で送信され得る、マスタ情報ブロック（ＭＩＢ）を受信し得る。ＭＩＢは、システム帯域幅情報と、システムフレーム番号（ＳＦＮ）と、物理ハイブリッド自動再送要求（ＨＡＲＱ）インジケータチャネル（ＰＨＩＣＨ）構成とを含み得る。ＭＩＢを復号した後に、ＵＥ１１５は、１つまたは複数のシステム情報ブロック（ＳＩＢ）を受信し得る。たとえば、ＳＩＢ１は、セルアクセスパラメータと他のＳＩＢのためのスケジューリング情報とを含み得る。ＳＩＢ１を復号することは、ＵＥ１１５がＳＩＢ２を受信することを可能にし得る。ＳＩＢ２は、ランダムアクセスチャネル（ＲＡＣＨ）プロシージャと、ページングと、ＰＵＣＣＨと、物理アップリンク共有チャネル（ＰＵＳＣＨ）と、電力制御と、サウンディング基準信号（ＳＲＳ）と、セル禁止とに関係するＲＲＣ構成情報を含み得る。
【００５１】
[0059]いくつかの場合には、ＵＥ１１５は、ターゲット周波数帯域上で測定を行うために１つまたは複数のＣＣの通信を中断し得る。すなわち、測定ギャップは、（現在のサービングセルとは異なる無線アクセス技術（ＲＡＴ）を使用する基地局１０５を含む）ネイバー基地局１０５の異なる周波数を測定するために導入され得る。いくつかの場合には、ネイバリング周波数間セルがサービングセルよりも良好な信号を有するとき、ＵＥ１１５は、ギャップ中に基準信号受信電力（ＲＳＲＰ）を測定し、測定報告中で現在のセルに通知することになる。このギャップ中に、ＵＥ１１５は、測定ギャップで構成されたセルを介して通信しないことがある。基地局１０５は、ダウンリンクまたはアップリンクスケジューリングが生じないＵＥ１１５のスケジューリングにおける測定ギャップ構成を与え得る。ギャップは、周波数を変更し、測定を行い、アクティブチャネルに切り替えるのに十分な時間をＵＥ１１５に与え得る。いくつかの場合には、ギャップはいくつかの（たとえば、５つまたは６つの）サブフレームであり得るが、他の場合には、ギャップは、低減された時間期間であり得る。いくつかの場合には、測定ギャップは、ＵＥ１１５の間欠受信（スリープ）間隔と協調される。いくつかの場合には、異なるコンポーネントキャリアは、別個の測定ギャップ構成で構成され得る（たとえば、ＵＥ１１５は、測定を実行するために別の受信機を利用しながら、ある受信機を用いてＣＣを監視し続け得る）。
【００５２】
[0060]いくつかの場合には、基地局１０５は、測定報告構成をＲＲＣ構成の一部としてＵＥ１１５に与え得る。測定報告構成は、ＵＥ１１５がどのネイバーセルおよび周波数を測定すべきかに関係するパラメータ、測定報告を送るための基準、測定報告の送信のための間隔（すなわち、測定ギャップ）、ならびに他の関係情報を含み得る。いくつかの場合には、測定報告は、サービングセルまたはネイバーセルのチャネル状態に関係するイベントによってトリガされ得る。たとえば、ＬＴＥシステムでは、サービングセルがしきい値よりも良好になったとき、第１の報告（Ａ１）がトリガされ、サービングセルがしきい値よりも不良になったとき、第２の報告（Ａ２）がトリガされ、ネイバーセルが１次サービングセルよりもオフセット値だけ良好になったとき、第３の報告（Ａ３）がトリガされ、ネイバーセルがしきい値よりも良好になったとき、第４の報告（Ａ４）がトリガされ、１次サービングセルがしきい値よりも不良になり、同時にネイバーセルが別の（たとえば、より高い）しきい値よりも良好であるとき、第５の報告（Ａ５）がトリガされ、ネイバーセルが２次サービングセルよりもオフセット値だけ良好になったとき、第６の報告（Ａ６）がトリガされ、異なるＲＡＴを使用するネイバーがしきい値よりも良好になったとき、第７の報告（Ｂ１）がトリガされ、１次サービングセルがしきい値よりも不良になり、ＲＡＴ間ネイバーが別のしきい値よりも良好になったとき、第８の報告（Ｂ２）がトリガされ得る。いくつかの場合には、ＵＥ１１５は、報告を送ることの前にトリガ条件が持続することを検証するために、トリガ時間（ＴＴＴ：time-to-trigger）として知られる時間間隔の間待ち得る。他の報告は、トリガ条件に基づくのではなく、周期的に送られ得る（たとえば、２秒ごとに、ＵＥ１１５はトランスポートブロックエラーレートのインジケーションを送信し得る）。そのような測定報告構成は単一のギャップ長に限定され得、すべてのＣＣ上の通信は、ＵＥがギャップ駆動型（gap-driven）ネイバーセル測定を実行するとき、中断され得る。
【００５３】
[0061]ＬＴＥシステムは、ＤＬ上では直交周波数分割多元接続（ＯＦＤＭＡ）を利用し、ＵＬ上ではシングルキャリア周波数分割多元接続（ＳＣ−ＦＤＭＡ）を利用し得る。ＯＦＤＭＡおよびＳＣ−ＦＤＭＡは、システム帯域幅を、一般にトーンまたはビンとも呼ばれる複数（Ｋ個）の直交サブキャリアに区分する。各サブキャリアはデータで変調され得る。隣接するサブキャリア間の間隔は固定であり得、サブキャリアの総数（Ｋ）はシステム帯域幅に依存し得る。たとえば、Ｋは、それぞれ、１．４、３、５、１０、１５、または２０メガヘルツ（ＭＨｚ）の（ガードバンドをもつ）対応するシステム帯域幅に対して、１５キロヘルツ（ＫＨｚ）のサブキャリア間隔の場合、７２、１８０、３００、６００、９００、または１２００に等しくなり得る。システム帯域幅はまた、サブバンドに区分され得る。たとえば、サブバンドは１．０８ＭＨｚをカバーし得、１つ、２つ、４つ、８つまたは１６個のサブバンドがあり得る。キャリアアグリゲーションでは、ＵＥ１１５は、複数の連続または不連続キャリアを使用して通信し得る。したがって、いくつかの場合には、周波数帯域は複数のキャリアを含み得、他の場合には、周波数帯域は単一のキャリアを含み得る。
【００５４】
[0062]ＨＡＲＱは、データがワイヤレス通信リンク１２５上で正確に受信されることを保証する方法であり得る。ＨＡＲＱは、（たとえば、巡回冗長検査（ＣＲＣ）を使用する）誤り検出と、前方誤り訂正（ＦＥＣ）と、再送信（たとえば、自動再送要求（ＡＲＱ））との組合せを含み得る。ＨＡＲＱは、不良な無線状態（たとえば、信号対雑音状態）において媒体アクセス制御（ＭＡＣ）レイヤにおけるスループットを改善し得る。インクリメンタル冗長ＨＡＲＱでは、不正確に受信されたデータは、データを正常に復号することの全体的尤度を改善するために、バッファに記憶され、後続の送信と組み合わせられ得る。いくつかの場合には、冗長ビットが、送信より前に各メッセージに追加される。これは、不良な状態において特に有用であり得る。他の場合には、冗長ビットは、各送信に追加されないが、元のメッセージの送信機が、情報を復号する試みの失敗を示す否定確認応答（ＮＡＣＫ）を受信した後に再送信される。送信、応答および再送信の連鎖は、ＨＡＲＱプロセスと呼ばれることがある。いくつかの場合には、所与の通信リンク１２５のために、限られた数のＨＡＲＱプロセスが使用され得る。
【００５５】
[0063]基地局１０５は、チャネルを効率的に構成およびスケジュールするためにＵＥ１１５からチャネル状態情報を収集し得る。この情報は、チャネル状態報告の形態でＵＥ１１５から送られ得る。チャネル状態報告は、（たとえば、ＵＥ１１５のアンテナポートに基づいて）ＤＬ送信のために使用されるべきレイヤの数を要求するランクインジケータ（ＲＩ：rank indicator）と、（レイヤの数に基づいて）どのプリコーダ行列が使用されるべきであるかについての選好（preference）を示すプリコーディング行列インジケータ（ＰＭＩ：precoding matrix indicator）と、使用され得る最高の変調およびコーディング方式（ＭＣＳ）を表すチャネル品質インジケータ（ＣＱＩ）とを含み得る。ＣＱＩは、セル固有基準信号（ＣＲＳ）またはチャネル状態情報基準信号（ＣＳＩ−ＲＳ）などの所定のパイロットシンボルを受信した後にＵＥ１１５によって計算され得る。ＲＩおよびＰＭＩは、ＵＥ１１５が空間多重化をサポートしない（またはサポート空間モードにない）場合、除外され得る。報告中に含まれる情報のタイプは報告タイプを決定する。チャネル状態報告は、周期的または非周期的であり得る。すなわち、基地局１０５は、一定の間隔で周期的報告を送るようにＵＥ１１５を構成し得、必要に応じて追加の報告をも要求し得る。非周期的報告は、セル帯域幅全体にわたるチャネル品質を示す広帯域報告、最良のサブバンドのサブセットを示すＵＥ選択報告、または報告されるサブバンドが基地局１０５によって選択される構成報告を含み得る。いくつかの場合には、ＨＡＲＱフィードバックおよびＣＳＩ報告は、別のＣＣが測定ギャップによって中断される間に（たとえば、異なる受信機が異なるＣＣ上で測定を行う間に）あるＣＣ上で送信され得る。
【００５６】
[0064]いくつかの場合には、ワイヤレス通信システム１００は、１つまたは複数の拡張コンポーネントキャリア（ｅＣＣ）を利用し得る。拡張コンポーネントキャリア（ｅＣＣ）は、フレキシブル帯域幅、異なる送信時間間隔（ＴＴＩ）、および変更された制御チャネル構成を含む、１つまたは複数の特徴によって特徴づけられ得る。いくつかの場合には、ｅＣＣは、（たとえば、複数のサービングセルが準最適バックホールリンクを有するとき）ＣＡ構成またはデュアル接続性構成に関連付けられ得る。ｅＣＣはまた、（たとえば、２つ以上の事業者が、スペクトルを使用することを認可された場合）無認可スペクトルまたは共有スペクトルにおいて使用するために構成され得る。フレキシブル帯域幅によって特徴づけられるｅＣＣは、全帯域幅を監視することが可能でないか、または（たとえば、電力を節約するために）限られた帯域幅を使用することを選好するＵＥ１１５によって利用され得る１つまたは複数のセグメントを含み得る。
【００５７】
[0065]いくつかの場合には、ｅＣＣは、他のＣＣとは異なるＴＴＩ長を利用し得、これは、他のＣＣのＴＴＩと比較して低減されたまたは可変のシンボル持続時間の使用を含み得る。いくつかの場合には、シンボル持続時間は同じままであり得るが、各シンボルは別個のＴＴＩを表し得る。いくつかの例では、ｅＣＣは、異なるＴＴＩ長に関連付けられた複数の階層レイヤを含み得る。たとえば、ある階層レイヤにおけるＴＴＩは均一な１ｍｓサブフレームに対応し得るが、第２のレイヤでは、可変長ＴＴＩは短い持続時間シンボル期間のバーストに対応し得る。いくつかの場合には、より短いシンボル持続時間も、増加したサブキャリア間隔に関連付けられ得る。低減されたＴＴＩ長とともに、ｅＣＣは動的ＴＤＤ動作を利用し得る（すなわち、ｅＣＣは、動的条件に従って短いバーストのためにＤＬ動作からＵＬ動作に切り替わり得る）。
【００５８】
[0066]フレキシブル帯域幅および可変ＴＴＩが変更制御チャネル構成に関連付けられ得る（たとえば、ｅＣＣは、ＤＬ制御情報のための拡張物理ダウンリンク制御チャネル（ｅＰＤＣＣＨ）を利用し得る）。たとえば、ｅＣＣの１つまたは複数の制御チャネルは、フレキシブル帯域幅使用に適応するために周波数分割多重化（ＦＤＭ）スケジューリングを利用し得る。他の制御チャネル変更は、（たとえば、発展型マルチメディアブロードキャストマルチキャストサービス（ｅＭＢＭＳ）スケジューリングのための、または可変長ＵＬおよびＤＬバーストの長さを示すための）追加の制御チャネルの使用、あるいは異なる間隔で送信される制御チャネルの使用を含む。ｅＣＣは、変更されたまたは追加のＨＡＲＱ関連制御情報をも含み得る。
【００５９】
[0067]したがって、ＵＥ１１５は、ＣＣのセットを監視しながらネイバリング周波数帯域を測定するために、受信機のセットの能力に基づく帯域固有測定ギャップインジケーションをシグナリングし得る。ＵＥ１１５は、帯域固有測定ギャップインジケーションに基づいてターゲット周波数帯域のうちの１つまたは複数に関連付けられた第１のＣＣのための測定ギャップ構成を受信し得る。ＵＥ１１５は、次いで、測定ギャップ構成に従ってターゲット周波数帯域のうちの１つまたは複数上で測定を実行し得るが、依然として、（たとえば、異なる受信機を使用して）ダウンリンクメッセージを受信し、第１のＣＣのために構成されたギャップ中に第２のＣＣに関連付けられたアップリンク制御メッセージを送信し得る。いくつかの例では、測定ギャップ構成メッセージは構成オプションのセットを含み、ＵＥ１１５は、利用可能なオプションのセットから第１のＣＣのための測定ギャップ構成を選択し得る。他の例では、測定ギャップ構成メッセージは、測定ギャップ中に第１のＣＣ上で測定を実行しないようにとのインジケーションを含み得る。
【００６０】
[0068]図２は、本開示の様々な態様による、キャリアアグリゲーションにおける測定ギャップのためのワイヤレス通信サブシステム２００の一例を示す。ワイヤレス通信サブシステム２００は、図１を参照しながら説明されたＵＥ１１５と基地局１０５との例であり得る、ＵＥ１１５−ａと、基地局１０５−ａおよび１０５−ｂとを含み得る。ＵＥ１１５−ａは、第１の受信機２０５−ａと第２の受信機２０５−ｂとを使用して、複数のＣＣ２１０上で基地局１０５−ａと通信し得る。ＵＥ１１５−ａは、別の受信機を使用して基地局１０５−ａの１つまたは複数のセルを監視し続けながら、ある受信機を使用して１つまたは複数の構成された測定ギャップ中に基地局１０５−ｂの１つまたは複数セルの測定を実行し得る。いくつかの場合には、ＵＥ１１５−ａはまた、測定ギャップ中に基地局１０５−ａの異なるセル上で測定を実行し得る。
【００６１】
[0069]セル発見、信号強度測定などのアクションを支援し得る同期信号が、基地局１０５−ａおよび１０５−ｂによって送信され得る。これらの同期信号は、一定の間隔で繰り返すように設計され得る。たとえば、同期信号は、５番目のサブフレームごとに（または長さ１ｍｓをもつサブフレームの場合、５ｍｓごとに）繰り返し得る。
【００６２】
[0070]ＵＥ１１５−ａが接続性を維持するために、ＵＥ１１５−ａは、異なるセルを監視するために異なる周波数に切り替え得る。ＵＥ１１５−ａは、次いで、異なる周波数上で（たとえば、セルを発見するか、または信号強度を測定するために）測定を実行し得る。この目的で、ＵＥは、サービングセルを監視することを停止し、測定ギャップを使用して別の周波数に再同調し得る。
【００６３】
[0071]ＵＥ１１５−ａはキャリアアグリゲーション（ＣＡ）が可能であり得、ＵＥ１１５−ａが複数の周波数を同時に監視することを可能にし得る複数の受信機を有し得る。いくつかの場合には、測定ギャップは、すべてのアグリゲートされたキャリアについて共通であり、すなわち、すべてのキャリアについて同時に生じ、コンポーネントキャリア（ＣＣ）ごとに独立して構成されないことがある。たとえば、ＵＥ１１５−ａは、基地局１０５−ｂを監視するために１つの受信機のみを必要とし得るが、すべての他の受信機は中断され得る。
【００６４】
[0072]したがって、ネットワークは、測定ギャップを各ＣＣ上で独立して構成することが可能であり得る（すなわち、ギャップは、全体的構成が、複数のＣＣを伴う優先度付けに基づく場合でも、異なるＣＣについて異なり得る）。たとえば、ＵＥ能力に基づいて、ネットワークは、他のＣＣのためのギャップをスケジュールすることを控えながら、その上で測定ギャップを構成すべき１つまたは複数の最適なＣＣを選ぶことができる。これは、中断されるキャリアの数を低減し得、より高いスループットまたはスケジューリングフレキシビリティを達成するために、ネットワークが無中断キャリアを使用することを可能にし得る。さらに、ネットワークは、個々のＣＣのために異なるギャップパターンを選定することができる。これは、たとえば、中断時間（すなわち、低減されたスケジューリング機会）に関して、アグリゲートされたキャリアに対する異なる影響を有し得る。たとえば、シーケンスが、６ｍｓギャップと、後続の３４ｍｓサービングセル監視とからなることができる（６−３４−６−３４）か、または別の例では、１ｍｓギャップ、４ｍｓサービングセル監視、１ｍｓギャップ、３４ｍｓサービングセル監視（１−４−１−３４）シーケンスが使用され得る。測定ギャップパターンの別の例では、測定ギャップはダウンリンク（ＤＬ）チャネル上でのみ生じ得るが、アップリンク（ＵＬ）チャネルは無中断のままである。
【００６５】
[0073]本方法の１つの可能な実装形態は、ＣＡモードにある間にどの受信機がどの周波数帯域を測定することができるかをＵＥ１１５−ａがネットワークにシグナリングすることを伴うことができる。いくつかの場合には、ＵＥ１１５−ａは、ＣＡ構成のＣＣを監視するためにそれの受信機の各々を利用し得る。同様に、ＵＥ１１５−ａは、ＵＥ１１５−ａが非サービング帯域を測定しているとき、ＣＡ帯域組合せのどの帯域がギャップまたは中断を必要とするかをシグナリングし得る。
【００６６】
[0074]表１は、可能な例を示す。帯域Ａ＋帯域Ｂ＋帯域Ｃを用いたＣＡ構成にあるとき、ＵＥ１１５−ａは、帯域Ａの受信機を用いて帯域Ｄおよび帯域Ｅ上で測定を実行し、帯域Ｂの受信機を用いて帯域Ｆ上で測定を実行し、帯域Ｃの受信機を用いて帯域Ｇ上で測定を実行することができる。これを可能にする１つの可能な方法は、それが、各受信機に関連付けられた測定をその上で実行することができる、帯域のビットマップを使用することであろう。
【００６７】
【表１】
2018521543.tif 000003
【００６８】
[0075]この例では、１ビットは、それぞれの受信機が異なる周波数上で測定を実行した場合、帯域が中断されることになることをシグナリングする。たとえば、帯域Ｅの測定が必要とされる場合、帯域Ａ受信機のみが、そのような測定を行うことが可能であり、それは、帯域Ａ、Ｂ、およびＣの中断を必要とすることになる。いくつかの場合には、ビットマップは、２つ以上のＣＣを備える周波数帯域を参照し得る。他の場合には、ビットマップは特定のＣＣを別々に参照し得る。
【００６９】
[0076]ＵＥ１１５−ａがサポートする各帯域組合せについて同様のテーブルがネットワークにシグナリングされ得る。いくつかの場合には、送信される情報のサイズは大きくなることがあり、送信される情報の量を低減することが有益であり得る。この低減は複数の形式で行われ得る。１つの可能な例では、ＵＥ１１５−ａは、あらゆる帯域をサポートする２つの独立した受信機を有し得る。ここで、ＵＥ１１５−ａが帯域組合せごとにサポートする各帯域についてのビットマップをシグナリングする代わりに、ＵＥ１１５−ａは、測定のために中断され得る、帯域組合せ中のどの１つまたは複数の帯域かを示し得る。別の可能な例では、ＣＡ能力シグナリング自体が、どの帯域が中断を有する必要があるかを暗示するために使用され得る。１つの可能なシナリオでは、ＵＥ１１５−ａが帯域１と帯域２とをサポートし、それが、ＵＥ１１５−ａが帯域４を測定するためにギャップを必要としないことを示す場合、次いで、ＵＥ１１５−ａが帯域１＋帯域２＋帯域３をサポートし、ＵＥ１１５−ａが帯域４を測定するためにギャップを必要とすることを示す場合、基地局１０５−ａは、ＵＥ１１５−ａが、帯域１＋帯域２＋帯域３で構成されたとき、帯域４の測定のために帯域３上でのみギャップを必要とすることになることを推論することができる。
【００７０】
[0077]いくつかの場合には、ＵＥ１１５−ａは、異なるギャップパターンをサポートし得る。この場合、ＵＥは、帯域のどの組合せがどのギャップパターンをサポートすることができるかをネットワークにシグナリングし得る。これは、各ギャップタイプについて別々に情報を送ることによって、または各々がギャップタイプまたはギャップの組合せに対応する、複数の値を有するようにビットマップを拡張することによって行われ得る。
【００７１】
[0078]ＵＥ１１５−ａから受信された情報に基づいて、基地局１０５−ａは、ＵＥ１１５−ａが測定のためにどの受信機を使用すべきであるかを選び得、ＣＣのサブセットのための測定ギャップを構成し得る。いくつかの場合には、ＵＥ１１５−ａが非サービング周波数の測定のための複数のギャップパターンをサポートする場合、基地局１０５−ａは、アグリゲートされたキャリアに対する最小影響をもつキャリアを選び得る。ネットワークはまた、ＵＬまたはＵＬ制御情報、たとえば、確認応答フィードバックまたはチャネル状態情報（ＣＳＩ）、に対する最小影響を有するＣＣ上で測定ギャップを構成し得る。
【００７２】
[0079]本開示によれば、ＵＥ１１５−ａは、どの受信機がどの周波数帯域上で測定を実行するために使用され得るかに関係するネットワーク能力をシグナリングし得る。このシグナリングは、別々に各ＣＡ組合せについてのものであり得、ＵＥによってサポートされる複数のギャップパターンを含み得、ＵＥによってサポートされる帯域に対応するビットマップを使用して行われ得る。
【００７３】
[0080]基地局１０５−ａは、ＵＥ１１５−ａ能力に基づいて測定ギャップを構成し得る。たとえば、基地局１０５−ａは、ギャップパターンがその上で最小中断を引き起こすＣＣを選び得る。または、基地局１０５−ａは、ＵＬへの影響に基づいて構成を選定し得る。たとえば、基地局１０５−ａは、（その上にギャップがないＣＣについての基地局１０５−ａへのＵＬフィードバックに対する影響を最小限に抑え得る）構成されたＵＬを有しないＣＣを選び得るか、基地局１０５−ａは、構成されたＵＬをもつが、その上にＵＬ制御情報がないＣＣを選び得るか、または基地局１０５−ａは（ＵＬ制御情報がその上で送られるＣＣにとって重要であり得る）ＵＬ接続性を維持するパターンを選び得る。別の場合には、基地局１０５−ａは、より不良な受信状態を有するＣＣ、たとえば、ＵＥ１１５−ａから見たより低いＳＩＮＲをもつＣＣ、またはより高い負荷をもつＣＣを選び得る）。
【００７４】
[0081]いくつかの場合には、基地局は、ＵＥ１１５−ａの能力に基づいて測定ギャップを構成し得、ＵＥ１１５−ａは、どの測定ギャップパターンを使用すべきかを選び得る。選定は、いくつかの所定の優先度に基づき得る。たとえば、ＵＥ１１５−ａは、より少ない中断を有する測定ギャップ構成を選定し得る。
【００７５】
[0082]基地局１０５−ａは、制御情報に対する影響が最小限に抑えられ得るようにＵＬ構成を変更し得る。たとえば、基地局１０５−ａは、ＵＬを、その上にギャップがない異なるＣＣに切り替え得る。ここで、制御情報は、制御情報をもつＣＣ上でＵＬが利用可能でない測定ギャップ中に異なるＵＬ上で送られ得る。また、ＵＥ１１５−ａは、制御情報のために使用されるデフォルトＣＣが利用可能でない場合、どのＵＬチャネルに制御データを送るべきかを自律的に選び得る。
【００７６】
[0083]図３は、本開示の様々な態様による、キャリアアグリゲーションにおける測定ギャップのための測定ギャップ構成３００の一例を示す。測定ギャップ構成３００は、図１〜図２を参照しながら説明されたＵＥ１１５と基地局１０５との例であり得る、基地局１０５によってサービスされるＵＥ１１５のための測定ギャップ構成を表し得る。測定ギャップ構成３００は、２つのサービングセルと２つの受信機とをもち、アクティブにされたＣＣのうちの１つを監視するように構成された受信機を用いて第３のセルを監視するための構成をもつ例を表す。しかしながら、３つ以上のＣＣおよび受信機と、監視されるべき２つ以上のネイバーセルとを伴う異なる構成が可能である。
【００７７】
[0084]いくつかの場合には、複数の受信機（たとえば、第１の受信機および第２の受信機プラス追加の受信機）は、それぞれ、少なくとも１つのＣＣを監視することに関与する。これのために、または受信機の周波数限界により、ＵＥ１１５は、少なくとも１つのＣＣ上の通信を途絶させることなしに測定を実行するために利用可能な空いている受信機（すなわち、ＣＣを監視するように構成されない受信機）を有しないことがある。しかしながら、本開示によれば、すべてのＣＣについて測定ギャップを構成することなしに測定を実行するために、測定ギャップは、受信機のうちの少なくとも１つが、ＵＥ１１５がそれの関連するＣＣから離調することを可能にするように構成され得る。
【００７８】
[0085]時間期間３０５は、第１の受信機が周波数帯域（帯域１）上でそれのサービングセルを監視するときを表し得る。測定ギャップ３１０−ａ、３１０−ｂ、および３１０−ｃは、第２の受信機が第２の周波数帯域（帯域２）上でそれのサービングセルをもはや監視しないときを表し得る。代わりに、時間期間３１１−ａ、３１１−ｂおよび３１１−ｃが表し得るように、第２の受信機は第３の周波数帯域（帯域３）上で非サービングセルを監視し得る。たとえば、ＵＥ１１５が接続性を維持するために、ＵＥ１１５は、異なるサービングセルを監視するために、たとえば、異なる周波数上でカバレージが異なる場所で、または負荷分散する目的で、異なる周波数に切り替え得る。ＵＥ１１５は、異なる周波数上で（たとえば、セルを発見するか、または信号強度を測定するために）測定を実行し得る。この目的で、ＵＥ１１５は、少なくとも１つのサービングセルを監視することを停止し、測定ギャップを使用することによって別の周波数に再同調し得る。
【００７９】
[0086]時間期間３１５−ａ、３１５−ｂ、および３１５−ｃは、第２の受信機がそれの周波数帯域（帯域２）上でそれのサービングセルを監視することに戻るときを表し得る。たとえば、ＵＥ１１５が帯域３上の同期信号を非サービングセルと交換した後、ＵＥ１１５は、帯域２上でそれのサービングセルを監視することに戻り得る。
【００８０】
[0087]したがって、第１の受信機による帯域１の監視（時間期間３０５）は、測定ギャップ構成に従って帯域を切り替える第２の受信機によって中断されないことがある。これは、たとえば、中断されるキャリアの数を低減し得、（受信機のすべてが少なくとも１つのＣＣを監視するように構成された場合でも）より高いスループットまたはスケジューリングフレキシビリティを達成するために、ネットワークが無中断キャリアを使用することを可能にし得る。
【００８１】
[0088]第１の受信機の中断なしに第３の周波数帯域を監視するための第２の受信機の使用、ならびに測定ギャップ３１０−ａ、３１１−ａ、および３１５−ａの長さは、測定ギャップ構成によって表され得る。いくつかの場合には、ネットワークは、個々のＣＣのために異なるギャップパターンを選定することができる。これは、たとえば、中断時間（すなわち、低減されたスケジューリング機会）に関して、アグリゲートされたキャリアに対する異なる影響を有し得る。たとえば、シーケンスは、６ｍｓギャップと、後続の３４ｍｓサービングセル監視とからなることができる（６−３４−６−３４）。別の例では、１ｍｓギャップの後に、４ｍｓサービングセル監視と、１ｍｓギャップと、３４ｍｓサービングセル監視とが続き得る（１−４−１−３４）。測定ギャップパターンの別の例では、測定ギャップはＤＬチャネル上でのみ生じ得るが、ＵＬチャネルは無中断のままである。いくつかの例では、異なるＣＣ（したがって、異なる受信機）のために異なる測定ギャップパターンが使用され得る。
【００８２】
[0089]図４は、本開示の様々な態様による、キャリアアグリゲーションにおける測定ギャップのためのプロセスフロー４００の一例を示す。プロセスフロー４００は、図１〜図２を参照しながら説明されたＵＥ１１５と基地局１０５との例であり得る、ＵＥ１１５−ｂと、基地局１０５−ｃおよび１０５−ｄとを含み得る。
【００８３】
[0090]４０５において、ＵＥ１１５−ｂと基地局１０５−ｂとは、複数の受信機が異なる周波数帯域を監視するＣＡ構成を確立し得る。４１０において、ＵＥ１１５−ｂは帯域固有測定ギャップインジケーションを基地局１０５−ｃにシグナリングし得る。たとえば、ＵＥ１１５−ｂは、ＣＡ構成の複数のＣＣを監視しながら１つまたは複数のターゲット周波数帯域を測定するための、複数の受信機の能力に少なくとも部分的に基づく帯域固有測定ギャップインジケーションをシグナリングし得る。いくつかの例では、帯域固有測定ギャップインジケーションは、１つまたは複数のターゲット周波数帯域の各々を測定することに関連付けられた複数のＣＣのサブセットのインジケーションを備える。いくつかの例では、帯域固有測定ギャップインジケーションは、複数のＣＣの各々を、１つまたは複数のターゲット周波数帯域上の測定ギャップに関連付けるビットマップを備える。いくつかの場合には、ＵＥ１１５−ｂは、ＣＡ構成とともに使用するために利用可能な１つまたは複数の測定ギャップパターンをシグナリングし得る。いくつかの例では、帯域固有測定ギャップインジケーションは、複数のＣＡ受信機構成に対応する複数のサポートされる周波数帯域測定ギャップ関連付けを備える。
【００８４】
[0091]４１５において、ＵＥ１１５−ｂは、基地局１０５−ｃから測定ギャップ構成メッセージを受信し得る。たとえば、ＵＥ１１５−ｂは、測定ギャップ構成が帯域固有測定ギャップインジケーションに基づき得るように、複数のターゲット周波数帯域に関連付けられたＣＣのセットのうちの第１のＣＣのための測定ギャップ構成を含む測定ギャップ構成メッセージを受信し得る。いくつかの例では、測定ギャップ構成メッセージは、少なくとも１つの第１のＣＣのための測定ギャップ構成の少なくとも１つのギャップ中に複数のＣＣのうちの少なくとも１つの第２のＣＣを監視するようにとのインジケーションを備える。いくつかの場合には、ＵＥ１１５−ｂは、少なくとも１つのギャップ中に、第２のＣＣに関連付けられたアップリンク制御メッセージを送信し得る。いくつかの場合には、測定ギャップ構成メッセージは複数の測定ギャップ構成オプションを備える。他の場合には、測定ギャップ構成メッセージは、測定ギャップ中に少なくとも１つの第１のＣＣ上で測定を実行しないようにとのインジケーションを含み得る。
【００８５】
[0092]４２０において、ＵＥ１１５−ｂは、受信された測定ギャップ構成メッセージから測定ギャップ構成を選択し得る。たとえば、ＵＥ１１５−ｂは、複数の測定ギャップ構成オプションから少なくとも１つの第１のＣＣのための測定ギャップ構成を選択し得る。いくつかの例では、測定ギャップ構成は、複数のＣＣを監視することの途絶を最小限に抑えること、ＵＬ送信の途絶を最小限に抑えること、またはその両方に少なくとも部分的に基づいて選択される。いくつかの例では、帯域固有測定ギャップインジケーションは、１つまたは複数のターゲット周波数帯域の組合せを測定するための、複数の受信機の各々の能力に少なくとも部分的に基づく別個のインジケーションを備える。
【００８６】
[0093]４２５において、ＵＥ１１５−ｂは、測定ギャップ構成に従って（たとえば、基地局１０５−ｄの）ターゲット周波数帯域のうちの１つまたは複数上で測定を実行し得る。たとえば、４２６において、第１の受信機は、基地局１０５−ｃを監視し続けるが、４２７において、第２の受信機は、基地局１０５−ｃを監視することから基地局１０５−ｄを監視することに切り替える。４３０において、第２の受信機が基地局１０５−ｄから基地局１０５−ｃに切り替えるとき、第１の受信機は基地局１０５−ｃを監視し続ける。
【００８７】
[0094]いくつかの場合には、ＵＥ１１５−ｂは、ＣＡ構成において、ＵＬ制御チャネルをもつ少なくとも１つの第１のＣＣが測定ギャップ中に利用不可能であると決定し得る。ＵＥ１１５−ｂは、次いで、決定に少なくとも部分的に基づいて、測定ギャップ中に（制御チャネルで）第２のＣＣ上でＵＬ制御情報を送信し得る。ＵＥ１１５−ｂは、ＵＬ制御情報が自律選択に基づいて送信され得るように第２のＣＣを自律的に選択し得る。いくつかの例では、第２のＣＣは、所定の優先度のセット、ネットワークシグナリング、ＵＥのＲＦアーキテクチャ、またはそれらの組合せに少なくとも部分的に基づいて自律的に選択される。ＵＥ１１５−ｂは、少なくとも１つの第１のＣＣが利用不可能であると決定することが、測定ギャップ構成に少なくとも部分的に基づくように、測定ギャップ構成を受信し得る。いくつかの例では、ＵＬ制御情報は、チャネル状態フィードバック、ＨＡＲＱフィードバック、またはその両方を備える。
【００８８】
[0095]図５は、本開示の様々な態様による、キャリアアグリゲーションにおける測定ギャップのために構成されたワイヤレスデバイス５００のブロック図を示す。ワイヤレスデバイス５００は、図１〜図４を参照しながら説明されたＵＥ１１５の態様の一例であり得る。ワイヤレスデバイス５００は、複数の受信機５０６および５０７をもつ受信機、測定ギャップマネージャ５１０、または送信機５１５を含み得る。ワイヤレスデバイス５００はプロセッサをも含み得る。これらの構成要素の各々は互いと通信していることがある。
【００８９】
[0096]受信機５０５は、パケット、ユーザデータ、または様々な情報チャネルに関連付けられた制御情報（たとえば、制御チャネル、データチャネル、およびキャリアアグリゲーションにおける測定ギャップに関係する情報など）などの情報を受信し得る。情報は、測定ギャップマネージャ５１０に、およびワイヤレスデバイス５００の他の構成要素に受け渡され得る。
【００９０】
[0097]測定ギャップマネージャ５１０は、ＣＡ構成の複数のＣＣを監視しながら１つまたは複数のターゲット周波数帯域を測定するための、複数の受信機の能力に少なくとも部分的に基づく帯域固有測定ギャップインジケーションをシグナリングし、測定ギャップ構成が帯域固有測定ギャップインジケーションに少なくとも部分的に基づくような、ターゲット周波数帯域のうちの少なくとも１つに関連付けられた複数のＣＣのうちの少なくとも１つの第１のＣＣのための測定ギャップ構成を備える測定ギャップ構成メッセージを受信し得る。いくつかの場合には、測定ギャップ構成メッセージは、少なくとも１つの第１のＣＣを監視することが、ターゲット周波数帯域のうちの少なくとも１つを測定するためにその間に中断され得る、１つまたは複数のギャップを与える。
【００９１】
[0098]送信機５１５は、ワイヤレスデバイス５００の他の構成要素から受信された信号を送信し得る。いくつかの例では、送信機５１５は、トランシーバモジュール中で受信機５０５とコロケートされ得る。送信機５１５は単一のアンテナを含み得るか、またはそれは複数のアンテナを含み得る。
【００９２】
[0099]図６は、本開示の様々な態様による、キャリアアグリゲーションにおける測定ギャップのためのワイヤレスデバイス６００のブロック図を示す。ワイヤレスデバイス６００は、図１〜図５を参照しながら説明されたワイヤレスデバイス５００またはＵＥ１１５の態様の一例であり得る。ワイヤレスデバイス６００は、受信機５０５−ａ、測定ギャップマネージャ５１０−ａ、および／または送信機５１５−ａを含み得る。ワイヤレスデバイス６００はプロセッサをも含み得る。これらの構成要素の各々は互いと通信していることがある。測定ギャップマネージャ５１０−ａはまた、測定能力メッセージングモジュール６０５とギャップ構成オプションモジュール６１０とを含み得る。
【００９３】
[0100]受信機５０５−ａは、測定ギャップマネージャ５１０−ａに、およびワイヤレスデバイス６００の他の構成要素に受け渡され得る情報を受信し得る。測定ギャップマネージャ５１０−ａは、図５を参照しながら説明された動作を実行し得る。送信機５１５−ａは、ワイヤレスデバイス６００の他の構成要素から受信された信号を送信し得る。
【００９４】
[0101]測定能力メッセージングモジュール６０５は、図２〜図４を参照しながら説明されたように、ＣＡ構成の複数のＣＣを監視しながら１つまたは複数のターゲット周波数帯域を測定するための、複数の受信機の能力に少なくとも部分的に基づく帯域固有測定ギャップインジケーションをシグナリングし得る。
【００９５】
[0102]ギャップ構成オプションモジュール６１０は、図２〜図４を参照しながら説明されたように、測定ギャップ構成が帯域固有測定ギャップインジケーションに少なくとも部分的に基づくような、ターゲット周波数帯域のうちの少なくとも１つに関連付けられた複数のＣＣのうちの少なくとも１つの第１のＣＣのための測定ギャップ構成を備える測定ギャップ構成メッセージを受信し得る。いくつかの場合には、測定ギャップ構成メッセージは、少なくとも１つの第１のＣＣを監視することが、ターゲット周波数帯域のうちの少なくとも１つを測定するためにその間に中断され得る、１つまたは複数のギャップを与える。いくつかの例では、測定ギャップ構成メッセージは、少なくとも１つの第１のＣＣのための測定ギャップ構成の少なくとも１つのギャップ中に複数のＣＣのうちの少なくとも１つの第２のＣＣを監視するようにとのインジケーションを備える。いくつかの例では、帯域固有測定ギャップインジケーションは、１つまたは複数のターゲット周波数帯域の各々を測定することに関連付けられた複数のＣＣのサブセットのインジケーションを備える。
【００９６】
[0103]ギャップ構成オプションモジュール６１０はまた、ＣＡ構成とともに使用するために利用可能な１つまたは複数の測定ギャップパターンをシグナリングし得る。いくつかの例では、帯域固有測定ギャップインジケーションは、複数のＣＡ受信機構成に対応する複数のサポートされる周波数帯域測定ギャップ関連付けを備える。いくつかの例では、測定ギャップ構成メッセージは複数の測定ギャップ構成オプションを備える。いくつかの例では、帯域固有測定ギャップインジケーションは、１つまたは複数のターゲット周波数帯域の組合せを測定するための、複数の受信機の各々の能力に少なくとも部分的に基づく別個のインジケーションを備える。ギャップ構成オプションモジュール６１０はまた、少なくとも１つの第１のＣＣが利用不可能であると決定することが、測定ギャップ構成に少なくとも部分的に基づくように、測定ギャップ構成を受信し得る。
【００９７】
[0104]図７は、本開示の様々な態様による、キャリアアグリゲーションにおける測定ギャップのためのワイヤレスデバイス５００またはワイヤレスデバイス６００の構成要素であり得る、測定ギャップマネージャ５１０−ｂのブロック図７００を示す。測定ギャップマネージャ５１０−ｂは、図５〜図６を参照しながら説明された測定ギャップマネージャ５１０の態様の一例であり得る。測定ギャップマネージャ５１０−ｂは、測定能力メッセージングモジュール６０５−ａと、ギャップ構成オプションモジュール６１０−ａとを含み得る。これらのモジュールの各々は、図６を参照しながら説明された機能を実行し得る。測定ギャップマネージャ５１０−ｂは、アップリンク制御メッセージングモジュール７０５と、ビットマップ関連付けモジュール７１０と、周波数帯域測定モジュール７１５と、測定ギャップ選択モジュール７２０と、アップリンクチャネル利用可能性モジュール７２５と、２次アップリンク制御メッセージングモジュール７３０と、２次アップリンク制御選択モジュール７３５とをも含み得る。
【００９８】
[0105]アップリンク制御メッセージングモジュール７０５は、図２〜図４を参照しながら説明されたように、少なくとも１つのギャップ中に第２のＣＣに関連付けられたアップリンク制御メッセージを送信し得る。
【００９９】
[0106]ビットマップ関連付けモジュール７１０は、複数のＣＣの各々を、１つまたは複数のターゲット周波数帯域上の測定ギャップに関連付けるビットマップを生成し得る。いくつかの場合には、帯域固有測定ギャップインジケーションは、図２〜図４を参照しながら説明されたように、ビットマップを含み得る。
【０１００】
[0107]周波数帯域測定モジュール７１５は、図２〜図４を参照しながら説明されたように、測定ギャップ構成に従ってターゲット周波数帯域のうちの１つまたは複数上で測定を実行し得る。
【０１０１】
[0108]測定ギャップ選択モジュール７２０は、図２〜図４を参照しながら説明されたように、複数の測定ギャップ構成オプションから少なくとも１つの第１のＣＣのための測定ギャップ構成を選択し得る。いくつかの例では、測定ギャップ構成は、複数のＣＣを監視することの途絶を最小限に抑えること、ＵＬ送信の途絶を最小限に抑えること、またはその両方に少なくとも部分的に基づいて選択され得る。
【０１０２】
[0109]アップリンクチャネル利用可能性モジュール７２５は、図２〜図４を参照しながら説明されたように、ＣＡ構成において、ＵＬ制御チャネルをもつ少なくとも１つの第１のＣＣが測定ギャップ中に利用不可能であると決定し得る。
【０１０３】
[0110]２次アップリンク制御メッセージングモジュール７３０は、図２〜図４を参照しながら説明されたように、決定に少なくとも部分的に基づいて、測定ギャップ中に制御チャネルで第２のＣＣ上でＵＬ制御情報を送信し得る。いくつかの例では、ＵＬ制御情報は、チャネル状態フィードバック、ＨＡＲＱフィードバック、またはその両方を備える。
【０１０４】
[0111]２次アップリンク制御選択モジュール７３５は、図２〜図４を参照しながら説明されたように、ＵＬ制御情報が自律選択に少なくとも部分的に基づいて送信されるように、第２のＣＣを自律的に選択し得る。いくつかの例では、第２のＣＣは、所定の優先度のセット、ネットワークシグナリング、ＵＥのＲＦアーキテクチャ、またはそれらの組合せに少なくとも部分的に基づいて自律的に選択され得る。
【０１０５】
[0112]図８は、本開示の様々な態様による、キャリアアグリゲーションにおける測定ギャップのために構成されたＵＥ１１５を含むシステム８００の図を示す。システム８００は、図１、図２および図５〜図７を参照しながら説明されたワイヤレスデバイス５００、ワイヤレスデバイス６００、またはＵＥ１１５の一例であり得る、ＵＥ１１５−ｃを含み得る。ＵＥ１１５−ｃは、図５〜図７を参照しながら説明された測定ギャップマネージャ５１０の一例であり得る、測定ギャップマネージャ８１０を含み得る。ＵＥ１１５−ｃはＥＣＣモジュール８２５をも含み得る。ＵＥ１１５−ｃは、通信を送信するための構成要素と通信を受信するための構成要素とを含む、双方向音声およびデータ通信のための構成要素をも含み得る。たとえば、ＵＥ１１５−ｃは、（たとえば、通信するかまたは測定を実行するかのいずれかのために）基地局１０５−ｅまたは基地局１０５−ｄと双方向に通信し得る。
【０１０６】
[0113]ＥＣＣモジュール８２５は、図１を参照しながら説明されたように、多数のＣＣ、低減されたまたは可変のＴＴＩ、あるいは変更制御チャネルを使用して通信を可能にし得る。
【０１０７】
[0114]ＵＥ１１５−ｃは、プロセッサ８０５と、（ソフトウェアを含む）８２０メモリ８１５と、トランシーバ８３５と、１つまたは複数のアンテナ８４０とをも含み得、それらの各々は、（たとえば、バス８４５を介して）互いと直接または間接的に通信し得る。トランシーバ８３５は、上記で説明されたように、（１つまたは複数の）アンテナ８４０あるいはワイヤードリンクまたはワイヤレスリンクを介して、１つまたは複数のネットワークと双方向に通信し得る。たとえば、トランシーバ８３５は、基地局１０５または別のＵＥ１１５と双方向に通信し得る。トランシーバ８３５は、パケットを変調し、変調されたパケットを送信のために（１つまたは複数の）アンテナ８４０に与え、（１つまたは複数の）アンテナ８４０から受信されたパケットを復調するためのモデムを含み得る。ＵＥ１１５−ｃは単一のアンテナ８４０を含み得るが、ＵＥ１１５−ｃはまた、複数のワイヤレス送信をコンカレントに送信または受信することが可能な複数のアンテナ８４０を有し得る。
【０１０８】
[0115]メモリ８１５は、ランダムアクセスメモリ（ＲＡＭ）と読取り専用メモリ（ＲＯＭ）とを含み得る。メモリ８１５は、実行されたとき、プロセッサ８０５に本明細書で説明される様々な機能（たとえば、キャリアアグリゲーションにおける測定ギャップなど）を実行させる命令を含むコンピュータ可読、コンピュータ実行可能ソフトウェア／ファームウェアコード８２０を記憶し得る。代替的に、ソフトウェア／ファームウェアコード８２０は、プロセッサ８０５によって直接的に実行可能でないことがあるが、（たとえば、コンパイルされ実行されたとき）コンピュータに本明細書で説明される機能を実行させ得る。プロセッサ８０５は、インテリジェントハードウェアデバイス（たとえば、中央処理ユニット（ＣＰＵ）、マイクロコントローラ、特定用途向け集積回路（ＡＳＩＣ）など）を含み得る。
【０１０９】
[0116]図９は、本開示の様々な態様による、キャリアアグリゲーションにおける測定ギャップのために構成されたワイヤレスデバイス９００のブロック図を示す。ワイヤレスデバイス９００は、図１〜図８を参照しながら説明された基地局１０５の態様の一例であり得る。ワイヤレスデバイス９００は、受信機９０５、基地局測定ギャップマネージャ９１０、および／または送信機９１５を含み得る。ワイヤレスデバイス９００はプロセッサをも含み得る。これらの構成要素の各々は互いと通信していることがある。
【０１１０】
[0117]受信機９０５は、パケット、ユーザデータ、または様々な情報チャネルに関連付けられた制御情報（たとえば、制御チャネル、データチャネル、およびキャリアアグリゲーションにおける測定ギャップに関係する情報など）などの情報を受信し得る。情報は、基地局測定ギャップマネージャ９１０に、およびワイヤレスデバイス９００の他の構成要素に受け渡され得る。
【０１１１】
[0118]基地局測定ギャップマネージャ９１０は、ＣＡ構成の複数のＣＣを監視しながら１つまたは複数のターゲット周波数帯域を測定するための、ＵＥの複数の受信機の能力に少なくとも部分的に基づく帯域固有測定ギャップインジケーションを受信し、帯域固有測定ギャップインジケーションに少なくとも部分的に基づいて測定ギャップのためにＵＥを構成し得る。
【０１１２】
[0119]送信機９１５は、ワイヤレスデバイス９００の他の構成要素から受信された信号を送信し得る。いくつかの例では、送信機９１５は、トランシーバモジュール中で受信機９０５とコロケートされ得る。送信機９１５は単一のアンテナを含み得るか、またはそれは複数のアンテナを含み得る。
【０１１３】
[0120]図１０は、本開示の様々な態様による、キャリアアグリゲーションにおける測定ギャップのためのワイヤレスデバイス１０００のブロック図を示す。ワイヤレスデバイス１０００は、図１〜図９を参照しながら説明されたワイヤレスデバイス９００または基地局１０５の態様の一例であり得る。ワイヤレスデバイス１０００は、受信機９０５−ａ、基地局測定ギャップマネージャ９１０−ａ、および／または送信機９１５−ａを含み得る。ワイヤレスデバイス１０００はプロセッサをも含み得る。これらの構成要素の各々は互いと通信していることがある。基地局測定ギャップマネージャ９１０−ａは、基地局（ＢＳ）ギャップ構成オプションモジュール１００５と、ＵＥ構成モジュール１０１０と、ＢＳアップリンクチャネル利用可能性モジュール１０１５と、ＢＳ２次アップリンク制御メッセージングモジュール１０２０とをも含み得る。
【０１１４】
[0121]受信機９０５−ａは、基地局測定ギャップマネージャ９１０−ａに、およびワイヤレスデバイス１０００の他の構成要素に受け渡され得る情報を受信し得る。基地局測定ギャップマネージャ９１０−ａは、図９を参照しながら説明された動作を実行し得る。送信機９１５−ａは、ワイヤレスデバイス１０００の他の構成要素から受信された信号を送信し得る。
【０１１５】
[0122]ＢＳギャップ構成オプションモジュール１００５は、図２〜図４を参照しながら説明されたように、ＣＡ構成の複数のＣＣを監視しながら１つまたは複数のターゲット周波数帯域を測定するための、ＵＥの複数の受信機の能力に少なくとも部分的に基づく帯域固有測定ギャップインジケーションを受信し得る。
【０１１６】
[0123]ＵＥ構成モジュール１０１０は、図２〜図４を参照しながら説明されたように、帯域固有測定ギャップインジケーションに少なくとも部分的に基づいて測定ギャップのためにＵＥを構成し得る。いくつかの例では、測定ギャップのためにＵＥを構成することは、測定ギャップパターン中の測定ギャップの長さに少なくとも部分的に基づいて、複数のパターンから測定ギャップパターンを選択することを備える。ＵＥ構成モジュール１０１０はまた、決定が測定ギャップ構成に少なくとも部分的に基づくように、測定ギャップのためにＵＥを構成し得る。
【０１１７】
[0124]ＢＳアップリンクチャネル利用可能性モジュール１０１５は、図２〜図４を参照しながら説明されたように、ＣＡ構成において、ＵＥのために構成された測定ギャップに少なくとも部分的に基づいてＵＬ制御チャネルをもつ少なくとも１つの第１のＣＣが利用不可能であると決定し得る。
【０１１８】
[0125]ＢＳ２次アップリンク制御メッセージングモジュール１０２０は、図２〜図４を参照しながら説明されたように、決定に少なくとも部分的に基づいて、ＵＥから、測定ギャップ中にＵＬ制御チャネルで第２のＣＣ上でＵＬ制御情報を受信し得る。
【０１１９】
[0126]図１１は、本開示の様々な態様による、キャリアアグリゲーションにおける測定ギャップのためのワイヤレスデバイス９００またはワイヤレスデバイス１０００の構成要素であり得る、基地局測定ギャップマネージャ９１０−ｂのブロック図１１００を示す。基地局測定ギャップマネージャ９１０−ｂは、図９〜図１０を参照しながら説明された基地局測定ギャップマネージャ９１０の態様の一例であり得る。基地局測定ギャップマネージャ９１０−ｂは、ＢＳギャップ構成オプションモジュール１００５−ａと、ＵＥ構成モジュール１０１０−ａと、ＢＳアップリンクチャネル利用可能性モジュール１０１５−ａと、ＢＳ２次アップリンク制御メッセージングモジュール１０２０−ａとを含み得る。これらのモジュールの各々は、図１０を参照しながら説明された機能を実行し得る。基地局測定ギャップマネージャ９１０−ｂは、最少中断モジュール１１０５と、ＵＬベースギャップ構成モジュール１１１０と、最少ＤＬ中断モジュール１１１５と、最低ＳＩＮＲ構成モジュール１１２０と、ＢＳ２次アップリンク制御選択モジュール１１２５とをも含み得る。
【０１２０】
[0127]最少中断モジュール１１０５は、図２〜図４を参照しながら説明されたように、測定ギャップが決定に少なくとも部分的に基づいて構成されるように、対応するＵＬ構成についてのＵＬ中断に少なくとも部分的に基づいて、複数のＣＣのための測定ギャップ構成を決定し得る。
【０１２１】
[0128]ＵＬベースギャップ構成モジュール１１１０は、図２〜図４を参照しながら説明されたように、対応するＵＬ構成に少なくとも部分的に基づいて、複数のＣＣのための測定ギャップ構成を決定することが、対応するＵＬ構成がＵＬ制御チャネルを含み得るかどうかを決定すること、ＵＬ制御情報がＵＬ制御チャネル上で送られ得るかどうかを決定すること、またはその両方を含み得るように構成され得る。
【０１２２】
[0129]最少ＤＬ中断モジュール１１１５は、図２〜図４を参照しながら説明されたように、測定ギャップが決定に少なくとも部分的に基づいて構成されるように、複数のＣＣ上のＤＬ中断を最小限に抑えることに少なくとも部分的に基づいて、複数のＣＣのための測定ギャップ構成を決定し得る。
【０１２３】
[0130]最低ＳＩＮＲ構成モジュール１１２０は、図２〜図４を参照しながら説明されたように、測定ギャップが決定に少なくとも部分的に基づいて構成されるように、ＣＡ構成から、ＣＡ構成の複数のＣＣの間で最低ＳＩＮＲを有するＣＣ、またはＣＡ構成の他のＣＣよりも大きい負荷をもつＣＣ、またはその両方を決定し得る。
【０１２４】
[0131]ＢＳ２次アップリンク制御選択モジュール１１２５は、図２〜図４を参照しながら説明されたように、第２のＣＣがＵＥによって自律的に選択され得るように構成され得る。
【０１２５】
[0132]図１２は、本開示の様々な態様による、キャリアアグリゲーションにおける測定ギャップのために構成された基地局１０５を含むシステム１２００の図を示す。システム１２００は、図１、図２および図９〜図１１を参照しながら説明されたワイヤレスデバイス９００、ワイヤレスデバイス１０００、または基地局１０５の一例であり得る、基地局１０５−ｇを含み得る。基地局１０５−ｇは、図９〜図１１を参照しながら説明された基地局測定ギャップマネージャ９１０の一例であり得る、基地局測定ギャップマネージャ１２１０を含み得る。基地局１０５−ｇは、通信を送信するための構成要素と通信を受信するための構成要素とを含む、双方向音声およびデータ通信のための構成要素をも含み得る。たとえば、基地局１０５−ｇは、ＵＥ１１５−ｄまたはＵＥ１１５−ｅと双方向に通信し得る。
【０１２６】
[0133]いくつかの場合には、基地局１０５−ｇは１つまたは複数のワイヤードバックホールリンクを有し得る。基地局１０５−ｇは、コアネットワーク１３０へのワイヤードバックホールリンク（たとえば、Ｓ１インターフェースなど）を有し得る。基地局１０５−ｇはまた、基地局間バックホールリンク（たとえば、Ｘ２インターフェース）を介して、基地局１０５−ｈおよび基地局１０５−ｉなど、他の基地局１０５と通信し得る。基地局１０５の各々は、同じまたは異なるワイヤレス通信技術を使用してＵＥ１１５と通信し得る。いくつかの場合には、基地局１０５−ｇは、基地局通信モジュール１２２５を利用して１０５ｈまたは１０５−ｉなどの他の基地局と通信し得る。いくつかの例では、基地局通信モジュール１２２５は、基地局１０５のうちのいくつかの間の通信を行うために、ＬＴＥ／ＬＴＥ−Ａワイヤレス通信ネットワーク技術内のＸ２インターフェースを与え得る。いくつかの例では、基地局１０５−ｇは、コアネットワーク１３０を通して他の基地局と通信し得る。いくつかの場合には、基地局１０５−ｇは、ネットワーク通信モジュール１２３０を通してコアネットワーク１３０と通信し得る。
【０１２７】
[0134]基地局１０５−ｇは、プロセッサ１２０５と、（ソフトウェア１２２０を含む）メモリ１２１５と、トランシーバ１２３５と、（１つまたは複数の）アンテナ１２４０とを含み得、それらの各々は、（たとえば、バスシステム１２４５を介して）互いと直接または間接的に通信していることがある。トランシーバ１２３５は、（１つまたは複数の）アンテナ１２４０を介して、マルチモードデバイスであり得るＵＥ１１５と双方向に通信するように構成され得る。トランシーバ１２３５（または基地局１０５−ｇの他の構成要素）はまた、アンテナ１２４０を介して、１つまたは複数の他の基地局（図示せず）と双方向に通信するように構成され得る。トランシーバ１２３５は、パケットを変調し、変調されたパケットを送信のためにアンテナ１２４０に与え、アンテナ１２４０から受信されたパケットを復調するように構成されたモデムを含み得る。基地局１０５−ｇは、各々が１つまたは複数の関連付けられたアンテナ１２４０をもつ複数のトランシーバ１２３５を含み得る。トランシーバは、図９の組み合わせられた受信機９０５および送信機９１５の一例であり得る。
【０１２８】
[0135]メモリ１２１５はＲＡＭおよびＲＯＭを含み得る。メモリ１２１５はまた、実行されたとき、プロセッサ１２０５に本明細書で説明される様々な機能（たとえば、キャリアアグリゲーションにおける測定ギャップ、カバレージ拡張技法を選択すること、呼処理、データベース管理、メッセージルーティングなど）を実行させるように構成された命令を含んでいるコンピュータ可読、コンピュータ実行可能ソフトウェアコード１２２０を記憶し得る。代替的に、ソフトウェア１２２０は、プロセッサ１２０５によって直接的に実行可能でないことがあるが、たとえば、コンパイルされ実行されたとき、コンピュータに本明細書で説明される機能を実行させるように構成され得る。プロセッサ１２０５は、インテリジェントハードウェアデバイス（たとえば、ＣＰＵ、マイクロコントローラ、ＡＳＩＣなど）を含み得る。プロセッサ１２０５は、エンコーダ、キュー処理モジュール、ベースバンドプロセッサ、無線ヘッドコントローラ、デジタル信号プロセッサ（ＤＳＰ）など、様々な専用プロセッサを含み得る。
【０１２９】
[0136]基地局通信モジュール１２２５は、他の基地局１０５との通信を管理し得る。いくつかの場合には、通信管理モジュールは、他の基地局１０５と協働してＵＥ１１５との通信を制御するためのコントローラまたはスケジューラを含み得る。たとえば、基地局通信モジュール１２２５は、ビームフォーミングまたはジョイント送信などの様々な干渉緩和技法のためのＵＥ１１５への送信のためのスケジューリングを協調させ得る。
【０１３０】
[0137]ワイヤレスデバイス５００、ワイヤレスデバイス６００、および測定ギャップマネージャ５１０、システム８００、ワイヤレスデバイス９００、ワイヤレスデバイス１０００、基地局測定ギャップマネージャ９１０、ならびにシステム１２００の構成要素は、ハードウェアで適用可能な機能の一部または全部を実行するように適応された少なくとも１つのＡＳＩＣを用いて、個々にまたはまとめて実装され得る。代替的に、それらの機能は、１つまたは複数の他の処理ユニット（またはコア）によって、少なくとも１つのＩＣ上で実行され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、または別のセミカスタムＩＣ）が使用され得る。各ユニットの機能はまた、全体的または部分的に、１つまたは複数の汎用または特定用途向けプロセッサによって実行されるようにフォーマットされた、メモリに組み込まれた命令を用いて実装され得る。
【０１３１】
[0138]図１３は、本開示の様々な態様による、キャリアアグリゲーションにおける測定ギャップのための方法１３００を示すフローチャートを示す。方法１３００の動作は、図１〜図１２を参照しながら説明されたように、ＵＥ１１５またはそれの構成要素によって実装され得る。たとえば、方法１３００の動作は、図５〜図８を参照しながら説明されたように、測定ギャップマネージャ５１０によって実行され得る。いくつかの例では、ＵＥ１１５は、以下で説明される機能を実行するようにＵＥ１１５の機能要素を制御するためのコードのセットを実行し得る。追加または代替として、ＵＥ１１５は、専用ハードウェアを使用して、以下で説明される機能の態様を実行し得る。
【０１３２】
[0139]ブロック１３０５において、ＵＥ１１５は、図２〜図４を参照しながら説明されたように、ＣＡ構成の複数のＣＣを監視しながら１つまたは複数のターゲット周波数帯域を測定するための、複数の受信機の能力に少なくとも部分的に基づく帯域固有測定ギャップインジケーションをシグナリングする。いくつかの例では、ブロック１３０５の動作は、図６を参照しながら説明されたように、測定能力メッセージングモジュール６０５によって実行され得る。
【０１３３】
[0140]ブロック１３１０において、ＵＥ１１５は、ターゲット周波数帯域のうちの少なくとも１つに関連付けられた複数のＣＣのうちの少なくとも１つの第１のＣＣのための測定ギャップ構成を備える測定ギャップ構成メッセージを受信し、その結果、図２〜図４を参照しながら説明されたように、測定ギャップ構成が帯域固有測定ギャップインジケーションに少なくとも部分的に基づくようになる。いくつかの例では、ブロック１３１０の動作は、図６を参照しながら説明されたように、ギャップ構成オプションモジュール６１０によって実行され得る。
【０１３４】
[0141]図１４は、本開示の様々な態様による、キャリアアグリゲーションにおける測定ギャップのための方法１４００を示すフローチャートを示す。方法１４００の動作は、図１〜図１２を参照しながら説明されたように、ＵＥ１１５またはそれの構成要素によって実装され得る。たとえば、方法１４００の動作は、図５〜図８を参照しながら説明されたように、測定ギャップマネージャ５１０によって実行され得る。いくつかの例では、ＵＥ１１５は、以下で説明される機能を実行するようにＵＥ１１５の機能要素を制御するためのコードのセットを実行し得る。追加または代替として、ＵＥ１１５は、専用ハードウェアを使用して、以下で説明される機能の態様を実行し得る。方法１４００はまた、図１３の方法１３００の態様を組み込み得る。
【０１３５】
[0142]ブロック１４０５において、ＵＥ１１５は、図２〜図４を参照しながら説明されたように、ＣＡ構成の複数のＣＣを監視しながら１つまたは複数のターゲット周波数帯域を測定するための、複数の受信機の能力に少なくとも部分的に基づく帯域固有測定ギャップインジケーションをシグナリングする。いくつかの例では、ブロック１４０５の動作は、図６を参照しながら説明されたように、測定能力メッセージングモジュール６０５によって実行され得る。
【０１３６】
[0143]ブロック１４１０において、ＵＥ１１５は、ターゲット周波数帯域のうちの少なくとも１つに関連付けられた複数のＣＣのうちの少なくとも１つの第１のＣＣのための測定ギャップ構成を備える測定ギャップ構成メッセージを受信し、その結果、図２〜図４を参照しながら説明されたように、測定ギャップ構成が帯域固有測定ギャップインジケーションに少なくとも部分的に基づく。いくつかの場合には、測定ギャップ構成メッセージは、少なくとも１つの第１のＣＣを監視することが、ターゲット周波数帯域のうちの少なくとも１つを測定するためにその間に中断され得る、１つまたは複数のギャップを与える。いくつかの場合には、測定ギャップ構成メッセージは、少なくとも１つの第１のＣＣのための測定ギャップ構成の少なくとも１つのギャップ中に複数のＣＣのうちの少なくとも１つの第２のＣＣを監視するようにとのインジケーションを備える。いくつかの例では、ブロック１４１０の動作は、図６を参照しながら説明されたように、ギャップ構成オプションモジュール６１０によって実行され得る。
【０１３７】
[0144]ブロック１４１５において、ＵＥ１１５は、図２〜図４を参照しながら説明されたように、少なくとも１つのギャップ中に第２のＣＣに関連付けられたアップリンク制御メッセージを送信する。いくつかの例では、ブロック１４１５の動作は、図７を参照しながら説明されたように、アップリンク制御メッセージングモジュール７０５によって実行され得る。
【０１３８】
[0145]図１５は、本開示の様々な態様による、キャリアアグリゲーションにおける測定ギャップのための方法１５００を示すフローチャートを示す。方法１５００の動作は、図１〜図１２を参照しながら説明されたように、ＵＥ１１５またはそれの構成要素によって実装され得る。たとえば、方法１５００の動作は、図５〜図８を参照しながら説明されたように、測定ギャップマネージャ５１０によって実行され得る。いくつかの例では、ＵＥ１１５は、以下で説明される機能を実行するようにＵＥ１１５の機能要素を制御するためのコードのセットを実行し得る。追加または代替として、ＵＥ１１５は、専用ハードウェアを使用して、以下で説明される機能の態様を実行し得る。方法１５００はまた、図１３〜図１４の方法１３００、および１４００の態様を組み込み得る。
【０１３９】
[0146]ブロック１５０５において、ＵＥ１１５は、図２〜図４を参照しながら説明されたように、ＣＡ構成の複数のＣＣを監視しながら１つまたは複数のターゲット周波数帯域を測定するための、複数の受信機の能力に少なくとも部分的に基づく帯域固有測定ギャップインジケーションをシグナリングする。いくつかの例では、ブロック１５０５の動作は、図６を参照しながら説明されたように、測定能力メッセージングモジュール６０５によって実行され得る。
【０１４０】
[0147]ブロック１５１０において、ＵＥ１１５は、ターゲット周波数帯域のうちの少なくとも１つに関連付けられた複数のＣＣのうちの少なくとも１つの第１のＣＣのための測定ギャップ構成を備える測定ギャップ構成メッセージを受信し、その結果、図２〜図４を参照しながら説明されたように、測定ギャップ構成が帯域固有測定ギャップインジケーションに少なくとも部分的に基づく。いくつかの例では、ブロック１５１０の動作は、図６を参照しながら説明されたように、ギャップ構成オプションモジュール６１０によって実行され得る。
【０１４１】
[0148]ブロック１５１５において、ＵＥ１１５は、図２〜図４を参照しながら説明されたように、ＣＡ構成とともに使用するために利用可能な１つまたは複数の測定ギャップパターンをシグナリングする。いくつかの例では、ブロック１５１５の動作は、図６を参照しながら説明されたように、ギャップ構成オプションモジュール６１０によって実行され得る。
【０１４２】
[0149]図１６は、本開示の様々な態様による、キャリアアグリゲーションにおける測定ギャップのための方法１６００を示すフローチャートを示す。方法１６００の動作は、図１〜図１２を参照しながら説明されたように、ＵＥ１１５またはそれの構成要素によって実装され得る。たとえば、方法１６００の動作は、図５〜図８を参照しながら説明されたように、測定ギャップマネージャ５１０によって実行され得る。いくつかの例では、ＵＥ１１５は、以下で説明される機能を実行するようにＵＥ１１５の機能要素を制御するためのコードのセットを実行し得る。追加または代替として、ＵＥ１１５は、専用ハードウェアを使用して、以下で説明される機能の態様を実行し得る。方法１６００はまた、図１３〜図１５の方法１３００、１４００、および１５００の態様を組み込み得る。
【０１４３】
[0150]ブロック１６０５において、ＵＥ１１５は、図２〜図４を参照しながら説明されたように、ＣＡ構成の複数のＣＣを監視しながら１つまたは複数のターゲット周波数帯域を測定するための、複数の受信機の能力に少なくとも部分的に基づく帯域固有測定ギャップインジケーションをシグナリングする。いくつかの例では、ブロック１６０５の動作は、図６を参照しながら説明されたように、測定能力メッセージングモジュール６０５によって実行され得る。
【０１４４】
[0151]ブロック１６１０において、ＵＥ１１５は、ターゲット周波数帯域のうちの少なくとも１つに関連付けられた複数のＣＣのうちの少なくとも１つの第１のＣＣのための測定ギャップ構成を備える測定ギャップ構成メッセージを受信し、その結果、図２〜図４を参照しながら説明されたように、測定ギャップ構成が帯域固有測定ギャップインジケーションに少なくとも部分的に基づく。いくつかの場合には、測定ギャップ構成メッセージは、少なくとも１つの第１のＣＣを監視することが、ターゲット周波数帯域のうちの少なくとも１つを測定するためにその間に中断され得る、１つまたは複数のギャップを与える。いくつかの例では、ブロック１６１０の動作は、図６を参照しながら説明されたように、ギャップ構成オプションモジュール６１０によって実行され得る。
【０１４５】
[0152]ブロック１６１５において、ＵＥ１１５は、図２〜図４を参照しながら説明されたように、測定ギャップ構成に従ってターゲット周波数帯域のうちの１つまたは複数上で測定を実行する。いくつかの例では、ブロック１６１５の動作は、図７を参照しながら説明されたように、周波数帯域測定モジュール７１５によって実行され得る。
【０１４６】
[0153]図１７は、本開示の様々な態様による、キャリアアグリゲーションにおける測定ギャップのための方法１７００を示すフローチャートを示す。方法１７００の動作は、図１〜図１２を参照しながら説明されたように、ＵＥ１１５またはそれの構成要素によって実装され得る。たとえば、方法１７００の動作は、図５〜図８を参照しながら説明されたように、測定ギャップマネージャ５１０によって実行され得る。いくつかの例では、ＵＥ１１５は、以下で説明される機能を実行するようにＵＥ１１５の機能要素を制御するためのコードのセットを実行し得る。追加または代替として、ＵＥ１１５は、専用ハードウェアを使用して、以下で説明される機能の態様を実行し得る。方法１７００はまた、図１３〜図１６の方法１３００、１４００、１５００、および１６００の態様を組み込み得る。
【０１４７】
[0154]ブロック１７０５において、ＵＥ１１５は、図２〜図４を参照しながら説明されたように、ＣＡ構成の複数のＣＣを監視しながら１つまたは複数のターゲット周波数帯域を測定するための、複数の受信機の能力に少なくとも部分的に基づく帯域固有測定ギャップインジケーションをシグナリングする。いくつかの例では、ブロック１７０５の動作は、図６を参照しながら説明されたように、測定能力メッセージングモジュール６０５によって実行され得る。
【０１４８】
[0155]ブロック１７１０において、ＵＥ１１５は、ターゲット周波数帯域のうちの少なくとも１つに関連付けられた複数のＣＣのうちの少なくとも１つの第１のＣＣのための測定ギャップ構成を備える測定ギャップ構成メッセージを受信し、その結果、図２〜図４を参照しながら説明されたように、測定ギャップ構成が帯域固有測定ギャップインジケーションに少なくとも部分的に基づく。いくつかの場合には、測定ギャップ構成メッセージは、少なくとも１つの第１のＣＣを監視することが、ターゲット周波数帯域のうちの少なくとも１つを測定するためにその間に中断され得る、１つまたは複数のギャップを与える。いくつかの場合には、測定ギャップ構成メッセージは複数の測定ギャップ構成オプションを備える。いくつかの例では、ブロック１７１０の動作は、図６を参照しながら説明されたように、ギャップ構成オプションモジュール６１０によって実行され得る。
【０１４９】
[0156]ブロック１７１５において、ＵＥ１１５は、図２〜図４を参照しながら説明されたように、複数の測定ギャップ構成オプションから少なくとも１つの第１のＣＣのための測定ギャップ構成を選択する。いくつかの例では、ブロック１７１５の動作は、図７を参照しながら説明されたように、測定ギャップ選択モジュール７２０によって実行され得る。
【０１５０】
[0157]図１８は、本開示の様々な態様による、キャリアアグリゲーションにおける測定ギャップのための方法１８００を示すフローチャートを示す。方法１８００の動作は、図１〜図１２を参照しながら説明されたように、ＵＥ１１５またはそれの構成要素によって実装され得る。たとえば、方法１８００の動作は、図５〜図８を参照しながら説明されたように、測定ギャップマネージャ５１０によって実行され得る。いくつかの例では、ＵＥ１１５は、以下で説明される機能を実行するようにＵＥ１１５の機能要素を制御するためのコードのセットを実行し得る。追加または代替として、ＵＥ１１５は、専用ハードウェアを使用して、以下で説明される機能の態様を実施し得る。方法１８００はまた、図１３〜図１７の方法１３００、１４００、１５００、１６００、および１７００の態様を組み込み得る。
【０１５１】
[0158]ブロック１８０５において、ＵＥ１１５は、図２〜図４を参照しながら説明されたように、ＣＡ構成において、ＵＬ制御チャネルをもつ少なくとも１つの第１のＣＣが測定ギャップ中に利用不可能であると決定する。いくつかの例では、ブロック１８０５の動作は、図７を参照しながら説明されたように、アップリンクチャネル利用可能性モジュール７２５によって実行され得る。
【０１５２】
[0159]ブロック１８１０において、ＵＥ１１５は、図２〜図４を参照しながら説明されたように、決定に少なくとも部分的に基づいて、測定ギャップ中に制御チャネルで、第２のＣＣ上でＵＬ制御情報を送信する。いくつかの例では、ブロック１８１０の動作は、図７を参照しながら説明されたように、２次アップリンク制御メッセージングモジュール７３０によって実行され得る。
【０１５３】
[0160]図１９は、本開示の様々な態様による、キャリアアグリゲーションにおける測定ギャップのための方法１９００を示すフローチャートを示す。方法１９００の動作は、図１〜図１２を参照しながら説明されたように基地局１０５またはそれの構成要素によって実装され得る。たとえば、方法１９００の動作は、図９〜図１２を参照しながら説明されたように、基地局測定ギャップマネージャ９１０によって実行され得る。いくつかの例では、基地局１０５は、以下で説明される機能を実行するように基地局１０５の機能要素を制御するためのコードのセットを実行し得る。追加または代替として、基地局１０５は、専用ハードウェアを使用して、以下で説明される機能の態様を実施し得る。方法１９００はまた、図１３〜図１８の方法１３００、１４００、１５００、１６００、１７００、および１８００の態様を組み込み得る。
【０１５４】
[0161]ブロック１９０５において、基地局１０５は、図２〜図４を参照しながら説明されたように、ＣＡ構成の複数のＣＣを監視しながら１つまたは複数のターゲット周波数帯域を測定するための、ＵＥの複数の受信機の能力に少なくとも部分的に基づく帯域固有測定ギャップインジケーションを受信する。いくつかの例では、ブロック１９０５の動作は、図１０を参照しながら説明されたように、ＢＳギャップ構成オプションモジュール１００５によって実行され得る。
【０１５５】
[0162]ブロック１９１０において、基地局１０５は、図２〜図４を参照しながら説明されたように、帯域固有測定ギャップインジケーションに少なくとも部分的に基づいて測定ギャップのためにＵＥを構成する。いくつかの例では、ブロック１９１０の動作は、図１０を参照しながら説明されたように、ＵＥ構成モジュール１０１０によって実行され得る。
【０１５６】
[0163]図２０は、本開示の様々な態様による、キャリアアグリゲーションにおける測定ギャップのための方法２０００を示すフローチャートを示す。方法２０００の動作は、図１〜図１２を参照しながら説明されたように基地局１０５またはそれの構成要素によって実装され得る。たとえば、方法２０００の動作は、図９〜図１２を参照しながら説明されたように、基地局測定ギャップマネージャ９１０によって実行され得る。いくつかの例では、基地局１０５は、以下で説明される機能を実行するように基地局１０５の機能要素を制御するためのコードのセットを実行し得る。追加または代替として、基地局１０５は、専用ハードウェアを使用して、以下で説明される機能の態様を実施し得る。方法２０００はまた、図１３〜図１９の方法１３００、１４００、１５００、１６００、１７００、１８００、および１９００の態様を組み込み得る。
【０１５７】
[0164]ブロック２００５において、基地局１０５は、図２〜図４を参照しながら説明されたように、ＣＡ構成において、ＵＥのために構成された測定ギャップに少なくとも部分的に基づいてＵＬ制御チャネルをもつ少なくとも１つの第１のＣＣが利用不可能であると決定する。いくつかの例では、ブロック２００５の動作は、図１０を参照しながら説明されたように、ＢＳアップリンクチャネル利用可能性モジュール１０１５によって実行され得る。
【０１５８】
[0165]ブロック２０１０において、基地局１０５は、図２〜図４を参照しながら説明されたように、決定に少なくとも部分的に基づいて、ＵＥから、測定ギャップ中にＵＬ制御チャネルをもつ第２のＣＣ上でＵＬ制御情報を受信する。いくつかの例では、ブロック２０１０の動作は、図１０を参照しながら説明されたように、ＢＳ２次アップリンク制御メッセージングモジュール１０２０によって実行され得る。
【０１５９】
[0166]したがって、方法１３００、１４００、１５００、１６００、１７００、１８００、１９００、および２０００は、キャリアアグリゲーションにおける測定ギャップを可能にし得る。方法１３００、１４００、１５００、１６００、１７００、１８００、１９００、および２０００は可能な実装形態について説明していること、ならびに動作およびステップは、他の実装形態が可能であるように、並べ替えられるかまたは場合によっては変更され得ることに留意されたい。いくつかの例では、方法１３００、１４００、１５００、１６００、１７００、１８００、１９００、および２０００のうちの２つまたはそれ以上からの態様が組み合わせられ得る。
【０１６０】
[0167]本明細書での説明は、例を与えるものであり、特許請求の範囲に記載される範囲、適用可能性、または例を限定するものではない。本開示の範囲から逸脱することなく、説明される要素の機能および構成において変更が行われ得る。様々な例は、適宜に様々なプロシージャまたは構成要素を省略、置換、または追加し得る。また、いくつかの例に関して説明される特徴は、他の例において組み合わせられ得る。
【０１６１】
[0168]本明細書で説明された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語はしばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標）：Wideband CDMA）およびＣＤＭＡの他の変形態を含む。ＴＤＭＡシステムは、モバイル通信用グローバルシステム（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションズシステム（ＵＭＴＳ：Universal Mobile Telecommunication System）の一部である。「第３世代パートナーシッププロジェクト」（３ＧＰＰ（登録商標））ＬＴＥおよびＬＴＥアドバンスト（ＬＴＥ−ａ）は、Ｅ−ＵＴＲＡを使用するユニバーサルモバイルテレコミュニケーションズシステム（ＵＭＴＳ）の新しいリリースである。ＵＴＲＡ、Ｅ−ＵＴＲＡ、ＵＭＴＳ、ＬＴＥ、ＬＴＥ−ａおよびＧＳＭは、３ＧＰＰと称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明された技法は、上記のシステムおよび無線技術、ならびに他のシステムおよび無線技術に使用され得る。ただし、本明細書の説明は、例としてＬＴＥシステムについて説明し、上記の説明の大部分においてＬＴＥ用語が使用されるが、本技法はＬＴＥ適用例以外に適用可能である。
【０１６２】
[0169]本明細書で説明されるそのようなネットワークを含む、ＬＴＥ／ＬＴＥ−ａネットワークでは、発展型ノードＢ（ｅＮＢ）という用語は、概して、基地局を記述するために使用され得る。本明細書で説明される１つまたは複数のワイヤレス通信システムは、異なるタイプのｅＮＢが様々な地理的領域にカバレージを与える、異種ＬＴＥ／ＬＴＥ−ａネットワークを含み得る。たとえば、各ｅＮＢまたは基地局は、マクロセル、スモールセル、または他のタイプのセルに通信カバレージを与え得る。「セル」という用語は、コンテキストに応じて、基地局、基地局に関連するキャリアまたはコンポーネントキャリア、あるいはキャリアまたは基地局のカバレージエリア（たとえば、セクタなど）を表すために使用され得る３ＧＰＰ用語である。
【０１６３】
[0170]基地局は、基地トランシーバ局、無線基地局、アクセスポイント、無線トランシーバ、ノードＢ、ｅＮＢ、ホームノードＢ、ホームｅノードＢ、または何らかの他の好適な用語を含むか、あるいはそれらの用語で当業者に呼ばれることがある。基地局のための地理的カバレージエリアは、カバレージエリアの一部分のみを構成するセクタに分割され得る。本明細書で説明される１つまたは複数のワイヤレス通信システムは、異なるタイプの基地局（たとえば、マクロセル基地局またはスモールセル基地局）を含み得る。本明細書で説明されるＵＥは、マクロｅＮＢ、スモールセルｅＮＢ、リレー基地局などを含む、様々なタイプの基地局およびネットワーク機器と通信することが可能であり得る。異なる技術のための重複する地理的カバレージエリアがあり得る。
【０１６４】
[0171]マクロセルは、概して、比較的大きい地理的エリア（たとえば、半径数キロメートル）をカバーし、ネットワークプロバイダのサービスに加入しているＵＥによる無制限アクセスを可能にし得る。スモールセルは、マクロセルと比較して、マクロセルと同じまたは異なる（たとえば、認可、無認可などの）周波数帯域内で動作し得る、低電力基地局である。スモールセルは、様々な例によれば、ピコセルと、フェムトセルと、マイクロセルとを含み得る。ピコセルは、たとえば、小さい地理的エリアをカバーし得、ネットワークプロバイダのサービスに加入しているＵＥによる無制限アクセスを可能にし得る。また、フェムトセルは、小さい地理的エリア（たとえば、自宅）をカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（たとえば、２つ、３つ、４つなどの）セル（たとえば、コンポーネントキャリア）をサポートし得る。ＵＥは、マクロｅＮＢ、スモールセルｅＮＢ、リレー基地局などを含む、様々なタイプの基地局およびネットワーク機器と通信することが可能であり得る。
【０１６５】
[0172]本明細書で説明される１つまたは複数のワイヤレス通信システムは、同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明される技法は、同期動作または非同期動作のいずれかのために使用され得る。
【０１６６】
[0173]本明細書で説明されるダウンリンク送信は順方向リンク送信と呼ばれることもあり、アップリンク送信は逆方向リンク送信と呼ばれることもある。たとえば、図１および図２のワイヤレス通信システム１００およびワイヤレス通信サブシステム２００を含む、本明細書で説明される各通信リンクは、１つまたは複数のキャリアを含み得、ここで、各キャリアは複数のサブキャリアからなる信号（たとえば、異なる周波数の波形信号）であり得る。各被変調信号は、異なるサブキャリア上で送られ得、制御情報（たとえば、基準信号、制御チャネルなど）、オーバーヘッド情報、ユーザデータなどを搬送し得る。本明細書で説明される通信リンク（たとえば、図１の通信リンク１２５）は、周波数分割複信（ＦＤＤ）動作を使用して（たとえば、対スペクトルリソースを使用して）またはＴＤＤ動作を使用して（たとえば、不対スペクトルリソースを使用して）双方向通信を送信し得る。ＦＤＤ（たとえば、フレーム構造タイプ１）およびＴＤＤ（たとえば、フレーム構造タイプ２）のためのフレーム構造が定義され得る。
【０１６７】
[0174]添付の図面に関して本明細書に記載された説明は、例示的な構成について説明しており、実装され得るまたは特許請求の範囲内に入るすべての例を表すとは限らない。本明細書で使用される「例示的」という用語は、「例、事例、または例示の働きをすること」を意味し、「好ましい」または「他の例よりも有利な」を意味しない。詳細な説明は、説明される技法の理解を与えるための具体的な詳細を含む。ただし、これらの技法は、これらの具体的な詳細なしに実施され得る。いくつかの事例では、説明された例の概念を不明瞭にすることを回避するために、よく知られている構造およびデバイスがブロック図の形式で示される。
【０１６８】
[0175]添付の図では、同様の構成要素または特徴は同じ参照ラベルを有し得る。さらに、同じタイプの様々な構成要素は、参照ラベルの後に、ダッシュと、それらの同様の構成要素の間で区別する第２のラベルとを続けることによって区別され得る。第１の参照ラベルのみが本明細書において使用される場合、その説明は、第２の参照ラベルにかかわらず、同じ第１の参照ラベルを有する同様の構成要素のいずれにも適用可能である。
【０１６９】
[0176]本明細書で説明される情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１７０】
[0177]本明細書の開示に関して説明された様々な例示的なブロックおよびモジュールは、汎用プロセッサ、ＤＳＰ、ＡＳＩＣ、ＦＰＧＡまたは他のプログラマブル論理デバイス、個別ゲートまたはトランジスタ論理、個別ハードウェア構成要素、あるいは本明細書で説明された機能を実施するように設計されたそれらの任意の組合せを用いて実装または実施され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ（たとえば、ＤＳＰとマイクロプロセッサとの組合せ、複数のマイクロプロセッサ、ＤＳＰコアと連携する１つまたは複数のマイクロプロセッサ、または任意の他のそのような構成）としても実装され得る。
【０１７１】
[0178]本明細書で説明された機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとして、コンピュータ可読媒体上に記憶されるか、またはコンピュータ可読媒体を介して送信され得る。他の例および実装形態は、本開示の範囲内および添付の特許請求の範囲内に入る。たとえば、ソフトウェアの性質により、上記で説明された機能は、プロセッサ、ハードウェア、ファームウェア、ハードワイヤリング、またはこれらのいずれかの組合せによって実行されるソフトウェアを使用して実装され得る。機能を実装する特徴はまた、機能の部分が、異なる物理的ロケーションにおいて実装されるように分散されることを含めて、様々な位置に物理的に配置され得る。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、Ａ、Ｂ、またはＣのうちの少なくとも１つの列挙が、ＡまたはＢまたはＣまたはＡＢまたはＡＣまたはＢＣまたはＡＢＣ（すなわち、ＡおよびＢおよびＣ）を意味するような包含的列挙を示す。
【０１７２】
[0179]コンピュータ可読媒体は、ある場所から別の場所へのコンピュータプログラムの転送を可能にする任意の媒体を含む、非一時的コンピュータ記憶媒体とコンピュータ通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の非一時的媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１７３】
[0180]本明細書の説明は、当業者が本開示を作成または使用することができるように与えられた。本開示への様々な変更は当業者には容易に明らかとなり、本明細書で定義した一般原理は、本開示の範囲から逸脱することなく他の変形形態に適用され得る。したがって、本開示は、本明細書で説明された例および設計に限定されるべきでなく、本明細書で開示された原理および新規の特徴に合致する最も広い範囲を与えられるべきである。
【図１】
2018521543.tif 000004
【図２】
2018521543.tif 000005
【図３】
2018521543.tif 000006
【図４】
2018521543.tif 000007
【図５】
2018521543.tif 000008
【図６】
2018521543.tif 000009
【図７】
2018521543.tif 000010
【図８】
2018521543.tif 000011
【図９】
2018521543.tif 000012
【図１０】
2018521543.tif 000013
【図１１】
2018521543.tif 000014
【図１２】
2018521543.tif 000015
【図１３】
2018521543.tif 000016
【図１４】
2018521543.tif 000017
【図１５】
2018521543.tif 000018
【図１６】
2018521543.tif 000019
【図１７】
2018521543.tif 000020
【図１８】
2018521543.tif 000021
【図１９】
2018521543.tif 000022
【図２０】
2018521543.tif 000023
【国際調査報告】
2018521543.tif 000024
2018521543.tif 000025
2018521543.tif 000026